(57)【要約】【解決手段】  無線通信に動的資源供給を提供することが、ここに記載されている。例えば、種々の無線性能メトリックは、無線ネットワーク性能の集合測定値として個別のネットワーク・アクセス・ポイントにより収集される。集合データは、ネットワークのための、個々のアクセス・ポイントのための性能モデルを生成するために利用できる。データに対する変更は、ネットワーク性能の定常特徴を提供するためにモデルに更新される。無線資源は、無線性能を最適化する方法で個別のアクセス・ポイントに対して生成される。更に、資源割当はイベントが性能メトリクスで駆動されるか基づくかを既存の無線状態に対して再最適化するため種々の間隔で更新できる。したがって、強くて動的な最適化が、変更トポロジの異種のアクセス・ポイント・ネットワークに適応できる無線ネットワーク資源供給のために提供される。【選択図】図１
2011530235.tif 000002
【特許請求の範囲】
【請求項１】
無線通信における動的資源分割の方法であって、
無線ネットワーク・アクセス・ポイントのための性能メトリックを得るために通信インターフェースを使用すること、
前記性能メトリックによって、ネットワーク・ユーティリティ・モデルへの入力を更新するためにデータプロセッサを使用すること、
前記モデルのネットワーク・ユーティリティを最適化する前記無線ネットワーク・アクセス・ポイントのために資源分割を選択するため前記データプロセッサを使用すること、を含み、
前記ユーティリティ・モデルは資源分割及び前記アクセス・ポイントを少なくとも部分的に含む無線リンクのセットの性能メトリクスの関数である、方法。
【請求項２】
前記選択資源分割と一致する前記ネットワーク・アクセス・ポイントに対する無線周波数（ＲＦ）状態を更新すること及び更新されたＲＦ状態のための性能データを受信することを更に含む、請求項１の方法。
【請求項３】
前記モデルを更新し、ユーティリティ・パラメータを最適化するために性能データを入力として使用することを更に含む請求項２の方法。
【請求項４】
前記動的資源分割を定期的に又はイベントの発生と同時にトリガすることを更に含む、請求項１の方法。
【請求項５】
前記無線ネットワーク・アクセス・ポイントによってサービスされるエリアに入るか又はから出るＡＴ、
前記アクセス・ポイントへ又はからのＡＴハンドオフ、
隣接セルにおける資源分割の変更、又は
前記アクセス・ポイントでのトラフィック負荷の量の変更、の少なくとも一つをトリガ・イベントとして使用することを含む、請求項４の方法：
【請求項６】
定期的なトリガのために、ネットワーク・アクセス・ポイントを含むアクセス・ポイントのセットと関連して同期又は非同期期間を使用することを更に含む、請求項４の方法。
【請求項７】
前記性能メトリックに少なくとも部分的に基づいて前記ネットワーク・アクセス・ポイントに対して使用されるデフォルト非同期期間を長くするか又は短くすることを更に含む、請求項６の方法。
【請求項８】
前記ネットワーク・アクセス・ポイントで、マスタアクセス・ポイントで、又は中央アクセス・ポイント・コントローラで、実施される、請求項１の方法。
【請求項９】
インター・アクセス・ポイント帰路ネットワークを介して隣接アクセス・ポイントからアクセス・ポイント負荷又は資源要求情報を得ること及びネットワーク・ユーティリティ・モデル入力を更新すること又は前記情報に少なくとも部分的に動的資源分割をトリガすることを更に含む、請求項８の方法。
【請求項１０】
前記選択資源分割をマスタアクセス・ポイント又は中央アクセス・ポイント・コントローラ実施のための補助的アクセス・ポイントに押し進めること、又は、前記選択資源分割を前記ネットワーク・アクセス・ポイントによって、サービスされるＡＴに押し進めること、の少なくとも一つを更に含む、請求項８の方法。
【請求項１１】
アクセス・ポイントの異なった分類のための直交無線資源の異なったセットを確保することによって、異種のアクセス・ポイント環境において、干渉を緩和するネットワーク・ユーティリティ・モデルのためのネットワーク効率プロトコルのセットを有効にすることを更に含む、請求項１の方法。
【請求項１２】
前記ネットワーク効率プロトコルのセットは、特定のマクロ環境のために設計され、ネットワーク・アクセス・ポイントの異なる分類に対する資源割当規則を提供する、請求項１１の方法。
【請求項１３】
前記資源分割を選択することは、マクロ、ピコ、フェムト又は中継基地局として前記ネットワーク・アクセス・ポイントを分類すること、
特定の資源がアクセス・ポイント・クラスに基づいて前記ネットワーク・アクセス・ポイントに割当てられるべきか否かを決定する前記効率プロトコルを参照すること、を更に含む、請求項１２の方法。
【請求項１４】
前記性能メトリックはＵＬ信号メトリック、ＤＬ信号メトリック又はその集合であり、前記資源分割はＵＬ又はＤＬ資源割当を特定する、請求項１の方法。
【請求項１５】
前記性能メトリックは、ＵＬ及びＤＬ信号の重み付組合せである、請求項１４の方法。
【請求項１６】
前記性能メトリックは、信号対雑音比（ＳＮＲ）、バッファサイズ及びＡＴのスループット・メトリック、前記ＡＴの電力無歪限界又は前記ＡＴでの干渉、若しくはその組み合わせを含む、請求項１の方法。
【請求項１７】
前記性能メトリックは無線ネットワーク・アクセス・ポイントにより提供されるＳＮＲ、スループット、データレート、待ち時間、トラフィック負荷、ＡＴ負荷又は干渉メトリックを含む、請求項１の方法。
【請求項１８】
資源攪乱に基づいて前記選択資源分割のための性能メトリックを予測することを更に含み、前記資源攪乱は更に、
無線リンクのサブセットのための前記選択資源分割を攪乱し、前記攪乱を前記リンクのサブセットをサポートする一つ以上のアクセス・ポイントに押し進めること、
前記摂動資源分割を示すそれぞれのアクセス・ポイントから性能メトリクスを取得すること、
前記モデルを前記攪乱性能メトリクスによって、更新すること、
攪乱及び事前攪乱ネットワーク・ユーティリティ・パラメータの値を比較すること、及び、前記攪乱分割を保持し、更に前記分割を攪乱するか又は前記性能メトリック比較に基づいて事前攪乱資源分割に戻ることを選択すること、を含む、請求項１の方法。
【請求項１９】
前記比較に基づいて前記ネットワーク・ユーティリティ・パラメータを改良する確率を計算すること、前記保持すること、前記戻ること又は前記資源分割を更に攪乱することを選択するための確率閾値のセットに関連する前記確率を使用することを更に含む、請求項１８の方法。
【請求項２０】
前記攪乱ユーティリティ・パラメータが事前攪乱ユーティリティ・パラメータ＋閾値量より良ければ、ネットワーク・ユーティリティが資源分割を更に攪乱すること、
前記攪乱ユーティリティ・パラメータが事前攪乱ユーティリティ・パラメータの閾値レベルの範囲内にあれば、前記攪乱分割を保持すること、又は、
前記攪乱ユーティリティ・パラメータが前記事前攪乱ユーティリティ・パラメータ＋閾値量より悪ければ、事前攪乱分割に戻ること、
によって最適化されることを推定すること、を更に含む、請求項１８の方法。
【請求項２１】
戻ること、保持すること又は前記分割を更に攪乱することを選択するために確率的モデルを使用することを更に含み、
前記確率的モデルは最高確率を、最高推定ユーティリティを持つオプションに単一に要約している全てのオプションの確率によって、割り当て、
１つのオプションが選択される可能性は、そのオプション割当て確率に比例する、請求項１８の方法。
【請求項２２】
動的資源分割を無線ネットワークに提供する装置であって、
ネットワーク性能メトリック・データを得るためのネットワーク・インターフェース・モジュールと、
無線アクセス・ポイントのセット及びＡＴリンクとの間の無線資源を動的に分割するように構成されるモジュールのセットを格納するためのメモリと、
前記モジュールを実行するためのデータプロセッサと、を具備し、
前記モジュールのセットは、前記セットの個々の無線アクセス・ポイントにより提供されるネットワーク性能データを集合する収集モジュールと、
前記変更割当てが、実施のため少なくとも一つのアクセス・ポイントに送信される場合に、前記性能データに基づいて前記個々のアクセス・ポイントの少なくとも１つに対する資源割当を変更する攪乱モジュールと、を含む、装置。
【請求項２３】
攪乱及び事前攪乱ネットワーク性能データの比較に基づいて、最適資源割当を出力する比較モジュールを更に含む、請求項２２の装置。
【請求項２４】
前記最適資源割当は、一つ以上のＵＬ又はＤＬ性能メトリクスを最大化することにより算出される、請求項２２の装置。
【請求項２５】
前記性能メトリクスが経路損失メトリック、アンテナ利得メトリック、トラフィック負荷又はバッファ・サイズ・メトリック若しくはアクセス・ポイント又はアクセス端末のセットに関連するスループット若しくは待ち時間メトリックの少なくとも一つを含む、請求項２４の装置。
【請求項２６】
基地局につき又はアクセス端末又は組合せにつきそれについて、前記性能メトリクスは資源ごとに、基地局ごとに又はアクセス端末ごとに、若しくはその組み合わせごとに解析される、請求項２４の装置。
【請求項２７】
前記性能メトリクスは、少なくとも部分的にＡＴで測定されるチャネル・メトリック又はＡＴのセットの個々のＡＴで測定されるチャネル・メトリクスの集合を含む、請求項２６の装置。
【請求項２８】
動的ネットワーク性能状態に対して最適資源割当を維持するために定期的にモジュールのセットを再実行する定常モジュールを更に含む、請求項２６の装置。
【請求項２９】
前記期間は、前記無線アクセス・ポイントのセットに同期する、請求項２８の装置。
【請求項３０】
前記期間は前記無線アクセス・ポイントのセットに対して非同期であり、少なくとも一つのアクセス・ポイントは前記セットの他のアクセス・ポイントとは異なる期間で、動的分割を再実行する、請求項２８の装置。
【請求項３１】
前記期間は、ランダムな又は疑似ランダム関数により生成され、前記無線アクセス・ポイントのセットに共通しており、又は前記セットの個々のアクセス・ポイントで別々に生成される、請求項２８の装置。
【請求項３２】
前記疑似ランダム関数は期間を決定するために使用され、更に前記疑似ランダム関数は現在のネットワーク性能に基づいてランダムに生成された期間を遅延する又は短くするために重み付される、請求項２８の装置。
【請求項３３】
ネットワーク・トポロジの変更、又は前記装置に関して、隣接セルの資源分割の変更、の一方に基づいて前記攪乱モジュールの実行を初期化するイベント・モジュールを更に含む、請求項２２の装置。
【請求項３４】
前記攪乱モジュールは、更に前記無線リンクのサブセットのための前記選択資源分割を変更し、前記変更選択分割を前記リンクのサブセットをサポートする一つ以上のアクセス・ポイントに押し進め、
前記収集モジュールは、前記変更選択分割を示す個別のアクセス・ポイントから性能メトリクスを取得し、これら性能メトリクスによって、ネットワーク・ユーティリティのモデルへの入力を更新し、更に、
前記モデルよって出力されるネットワーク・ユーティリティの値と前記パラメータの先の値との比較に基づいて前記変更選択分割を維持すること、戻すこと又は更に変更することを選択する比較モジュールを含む、請求項２２の装置。
【請求項３５】
無線通信での動的資源分割のための装置であって、
無線ネットワーク・アクセス・ポイントのための性能メトリックを得るために通信インターフェースを使用する手段と、
前記性能メトリックによって、ネットワーク・ユーティリティ・モデルへの入力を更新するためにデータプロセッサを使用する手段と、
無線前記モデルのネットワーク・ユーティリティを最適化する前記無線ネットワーク・アクセス・ポイントのために資源分割を選択するため前記データプロセッサを使用する手段と、を具備し、
前記ユーティリティ・モデルは資源分割及び前記アクセス・ポイントを少なくとも部分的に含む無線リンクのセットの性能メトリクスの関数である、装置。
【請求項３６】
無線通信での動的資源分割のために構成される少なくとも一つのプロセッサであって、無線ネットワーク・アクセス・ポイントのための性能メトリックを得るための第１モジュールと、
前記性能メトリックによって、ネットワーク・ユーティリティ・モデルへの入力を更新するための第２モジュールと、
前記モデルのネットワーク・ユーティリティを最適化する前記無線ネットワーク・アクセス・ポイントのために資源分割を選択するため第３モジュールと、を具備し、
前記ユーティリティ・モデルは資源分割及び前記アクセス・ポイントを少なくとも部分的に含む無線リンクのセットの性能メトリクスの関数である、プロセッサ。
【請求項３７】
無線ネットワーク・アクセス・ポイントのための性能情報をコンピュータに取得させるコードの第１セットと、
前記性能メトリックによって、ネットワーク・ユーティリティ・モデルへの入力を前記コンピュータに更新させるコードの第２セットと、
前記モデルのネットワーク・ユーティリティを最適化する前記無線ネットワーク・アクセス・ポイントのために資源分割を前記コンピュータに選択させるコードの第３セットと、を含み、
前記ユーティリティ・モデルは資源分割及び前記アクセス・ポイントを少なくとも部分的に含む無線リンクのセットの性能メトリクスの関数である、コンピュータ可読媒体を具備するコンピュータプログラム製品。
【請求項３８】
無線ネットワークによって、アクセス端末（ＡＴ）に割り当てられる無線資源を変更するために無線受信機を使用すること、
ＡＴで観察されるＲＦ状態に基づいて前記変更無線資源割り当てのために性能データサンプリングするためデータプロセッサを使用すること、
前記サンプリングされた性能データを前記無線ネットワークのＢＳに提供するために無線送信機を使用すること、を含み、
提供に対する応答は前記ＡＴを事前変更無線資源割り当て戻し、又は前記サンプリングされた性能データに少なくとも部分的に基づいて、前記変更割当てを維持する、無線通信方法。
【請求項３９】
定期的資源割当変更を受信すること、個々の変更に対して性能データ提供で応答することを更に含む、請求項３８の方法。
【請求項４０】
前記期間変更は、サンプリングされた性能データに依存して固定期間、ランダム期間又は可変期間を含む、請求項３９の方法。
【請求項４１】
無線性能が閾値レベル未満に低下すれば、無線資源割り当ての変更を要求することを含む、請求項３８の方法。
【請求項４２】
前記性能データをサンプリングすることは、待ち時間、経路損失、バッファサイズ、アンテナ利得、干渉又は前記ＡＴによって、受信したダウンリンク（ＤＬ）送信のためのスループット・メトリックを計算することを更に含む、請求項３８の方法。
【請求項４３】
前記供給に対する応答は待ち時間、経路損失、スループット、干渉又はＡＴにより送信されるアップリンク（ＵＬ）送信のアンテナ利得メトリックに少なくとも部分的に基づく、請求項３８の方法。
【請求項４４】
前記提供に対する前記応答は、ＵＬ及びＤＬ性能メトリック・データの重み付平均に基づいている、請求項３８の方法。
【請求項４５】
異なる無線資源対して別に性能データをサンプリングすること、及び資源ごとに又は資源のグループごとに性能データを提供することを含む、請求項３８の方法。
【請求項４６】
サービス中ＢＳ及び一つ以上の非サービスＢＳ  を含む無線ネットワークＢＳｓのセットに前記サンプリングされた性能データを提供する、請求項３８の方法。
【請求項４７】
前記無線ネットワークの前記ＢＳに、前記ＡＴにサービスするＢＳのＩＤを報告することを更に含む、請求項３８の方法。
【請求項４８】
前記変更又は非変更資源割当のための資源の選択は前記サービス中ＢＳに少なくとも部分的に基づいている、請求項４７の方法。
【請求項４９】
改良無線通信を容易にする装置であって、
無線通信のための動的資源割当を容易にするように構成されるモジュールのセットを格納するメモリと、
前記モジュールのセットを実行するためのデータプロセッサと、を具備し、
前記データプロセッサは
サービス中無線ネットワークにより送信される無線資源割当の変更を識別するために受信無線メッセージを解析する資源モジュールと、
前記資源モジュールにより識別された変更に従って前記装置のトランシーバを調整する構成モジュールと、
前記装置で観察されたＲＦ状態に基づいて性能データをサンプリングし、前記変更した無線資源の性能評価を容易にする測定モジュールと、を含む、装置。
【請求項５０】
前記評価に対する応答は、前記変更を保存し、前記変更を逆転し又は前記性能評価に基づいて前記資源割当を更に変更する、請求項４９の装置。
【請求項５１】
無線資源割り当ての変更のため前記無線ネットワークの送信を前記資源モジュールに定期的に解析させるタイミング・モジュールを更に含む、請求項４９の装置。
【請求項５２】
前記期間は、前記無線ネットワークにより提供され、前記性能評価に基づいて固定又は変更される、請求項５１の装置。
【請求項５３】
前記性能データは、待ち時間、経路損失、バッファサイズ、干渉又は前記装置により受信されるダウンリンク（ＤＬ）送信のためのスループット・メトリックを含む、請求項４９の装置。
【請求項５４】
前記評価に対する応答は、また、待ち時間、経路損失、スループット、干渉又はアップリンク（ＵＬ）送信のアンテナ利得メトリックに少なくとも部分的に基づく、請求項４９の装置。
【請求項５５】
前記評価に対する応答は、前記装置のＵＬ及びＤＬアクティビティの両方に対する性能メトリック・データに基づく、請求項４９の装置。
【請求項５６】
動的資源割当のためＢＳｓ間でネットワーク・トポロジ又は無線性能データを共有するのを容易にするために、サービス中ＢＳから隣接ＢＳへ又はその逆に無線メッセージを送るインターフェース・モジュールを更に含む、請求項４９の装置。
【請求項５７】
前記装置で受信されるＤＬ信号伝達のため少なくとも前記性能評価を実行する決定モジュールを更に含む、請求項４９の装置。
【請求項５８】
前記性能評価に基づき前記装置のためＤＬ資源の変更セットを生成し、前記ＤＬ資源を使用するためにサービス中ＢＳに要求を出す選択モジュールを更に含む、請求項５７の装置。
【請求項５９】
前記資源モジュールは前記装置及び前記無線ネットワークによって、サービスされる１以上の無線ＡＴのＵＬ性能メトリクスの評価から動的に決定されるＵＬ資源のセットを取得する、請求項４９の装置。
【請求項６０】
無線通信のための装置であって、
無線ネットワークによって、ＡＴに割り当てられる無線資源を変更するために無線受信機を使用する手段と、
ＡＴで観察されるＲＦ状態に基づいて前記変更無線資源割り当てのために性能データをサンプリングするためデータプロセッサを使用する手段と、
前記サンプリングされた性能データを前記無線ネットワークのＢＳに提供するために無線送信機を使用する手段と、を具備し、
提供に対する応答は前記ＡＴを事前変更無線資源割り当て戻し、又は前記サンプリングされた性能データに少なくとも部分的に基づいて、前記変更割当てを維持する、装置。
【請求項６１】
改良無線通信のために構成される少なくとも一つのプロセッサであって、
無線ネットワークによって、ＡＴに割り当てられる無線資源を変更する第１のモジュールと、
ＡＴで観察されるＲＦ状態に基づいて前記変更無線資源割り当てのために性能データをサンプリングする第２モジュールと、
前記サンプリングされた性能データを前記無線ネットワークのＢＳに提供する第３モジュールと、を具備し、
提供に対する応答は前記ＡＴを事前変更無線資源割り当て戻し、又は前記サンプリングされた性能データに少なくとも部分的に基づいて、前記変更割当てを維持する、プロセッサ。
【請求項６２】
無線ネットワークによって、ＡＴに割り当てられる無線資源をコンピュータに変更させるコードの第１セットと、
前記ＡＴで観察されるＲＦ状態に基づいて前記変更無線資源割り当てのために性能データを前記コンピュータにサンプリングさせるコードの第２セットと、
前記サンプリングされた性能データを前記無線ネットワークのＢＳに前記コンピュータによって、提供させるためのコードの第３セットと、を含み、
提供に対する応答は前記ＡＴを事前変更無線資源割り当て戻し、又は前記サンプリングされた性能データに少なくとも部分的に基づいて、前記変更割当てを維持する、コンピュータ可読媒体を具備するコンピュータプログラム製品。
【請求項６３】
動的資源分割のためのコンピュータ実行方法であって、
無線リンクのセットのための既存の資源分割を得るため通信インターフェースを使用すること、
前記無線リンクのサブセットのための既存の資源分割を攪乱し、前記攪乱を前記リンクのサブセットをサポートする一つ以上のアクセス・ポイントに押し進めるためにデータプロセッサを使用すること、
前記攪乱資源分割を示す個別のアクセス・ポイントから性能メトリクスを得るため通信インターフェースを使用すること、
前記性能メトリクスを事前摂動ネットワークメトリクスと比較するためデータプロセッサを使用すること、
前記攪乱分割を保持すること、前記分割を更に攪乱すること又は前記性能メトリック比較に基づいて事前攪乱資源分割に戻すことを選択するため前記データプロセッサを使用すること、を含む、方法。
【請求項６４】
ネットワーク・トポロジの検出された変更又は無線ネットワークの隣接セルの資源分割の変更に基づいて資源分割の前記攪乱をトリガすることを更に含む、請求項６３の方法。
【請求項６５】
ネットワーク・トポロジの前記変更は、前記無線リンクに対するトラフィック負荷の変更又は前記無線リンクの数の変更を含む、請求項６４の方法。
【請求項６６】
ハンドオーバ命令を前記アクセス・ポイントの少なくとも一つに押し進められる少なくとも一つの攪乱メッセージと結合することを更に含む、請求項６３の方法。
【請求項６７】
前記無線リンクのセットに対して定期的にネットワーク資源の前記攪乱をトリガすることを更に含む、請求項６３の方法。
【請求項６８】
前記無線リンクのセットに対して固定の期間を使用し又は個別のリンク又は個別のアクセス・ポイントに対して別々の期間を使用することを更に含む、請求項６７の方法。
【請求項６９】
前記リンクのセット、個別のリンク又は個別のアクセス・ポイントの性能メトリクスに基づいて前記固定期間又は別個の期間をオフセットすることを更に含む、請求項６８の方法。
【請求項７０】
ＵＬ及びＤＬ資源分割のために資源分割を別々に行うことを更に含む、請求項６３の方法。
【請求項７１】
ＵＬ及びＤＬ資源分割を共通に行うことを更に含む、請求項６３の方法。
【請求項７２】
前記性能メトリックは、ＵＬ及びＤＬ  ＲＦ性能メトリクスの集合である、請求項７１の方法。
【請求項７３】
無線ネットワークに対して動的資源分割を行う装置であって、
無線リンクのセットのためのネットワーク性能メトリック・データを取得するためのネットワーク・インターフェース・モジュールと、
前記無線リンクのセットの間で無線資源を動的にぶんカルするように構成されるモジュールのセットを格納するためのメモリと、
前記モジュールを実行するためのデータプロセッサと、を具備し、
前記モジュールのセットは個別の無線リンクの少なくとも１つに対する資源割当を変更する攪乱モジュールと、前記変更資源割当のためのネットワーク性能データを集合する収集モジュールと、
攪乱及び事前攪乱ネットワーク性能データの比較に基づいて、資源割当を出力する比較モジュールと、を備える、装置。
【請求項７４】
動的ネットワーク性能状態に対して最適資源割当を維持するために定期的に前記モジュールのセットを再実行する定常モジュールを更に含む、請求項７３の装置。
【請求項７５】
前記期間は、前記無線リンクのセットに同期する、請求項７３の装置。
【請求項７６】
前記期間は、前記無線リンクのセットに非同期であり、動的分割は、前記セットの他のリンクから異なる期間で前記リンクの少なくとも一つに対して実行される、請求項７５の装置。
【請求項７７】
前記期間は、ランダムな又は疑似ランダム関数により生成され、前記無線リンクのセットに対して共通であり、又は前記セットの個別のアクセス・ポイントで別々に生成される、請求項７５の装置。
【請求項７８】
前記疑似ランダム関数は、前記性能データに基づいてより長く又はより短く重み付される基線期間を提供する、請求項７７の装置。
【請求項７９】
ネットワーク・トポロジの変更又は前記装置に関して、隣接セルの資源分割の変更の少なくとも一つに基づいて前記攪乱モジュールの実行を初期化するイベント・モジュールを更に含む、請求項７３の装置。
【請求項８０】
前記攪乱は、ＵＬ及びＤＬ信号に対して別々に実行される、請求項７３の装置。
【請求項８１】
前記攪乱は、ＵＬ及びＤＬ信号対して共通に実行される、請求項７３の装置。
【請求項８２】
前記性能メトリック・データは、ＵＬ及びＤＬ性能メトリクスの集合である、請求項８１の装置。
【請求項８３】
動的資源分割のための装置であって、
無線リンクのセットのための既存の資源分割を得るため通信インターフェースを使用する手段と、
前記無線リンクのサブセットのための既存の資源分割を攪乱し、前記攪乱を前記リンクのサブセットをサポートする一つ以上のアクセス・ポイントに押しつけるためにデータプロセッサを使用する手段と、
前記攪乱資源分割を示す個別のアクセス・ポイントから性能メトリクスを得るため通信インターフェースを使用する手段と、
前記性能メトリクスを事前摂動ネットワークメトリクスと比較するためデータプロセッサを使用する手段と、前記攪乱分割を保持すること、
前記分割を更に攪乱すること又は前記性能メトリック比較に基づいて事前攪乱資源分割に戻すことを選択するため前記データプロセッサを使用する手段と、を具備する装置。
【請求項８４】
動的資源分割のために構成される少なくとも一つのプロセッサであって、
無線リンクのセットのための既存の資源分割を得るための第１モジュールと、
前記無線リンクのサブセットのための既存の資源分割を攪乱し、前記攪乱を前記リンクのサブセットをサポートする一つ以上のアクセス・ポイントに押し進めるための第２モジュールと、
前記攪乱資源分割を示す個別のアクセス・ポイントから性能メトリクスを得るための第３モジュールと、
前記性能メトリクスを事前摂動ネットワークメトリクスと比較するための第４モジュールと、
前記攪乱分割を保持すること、前記分割を更に攪乱すること、又は前記性能メトリック比較に基づいて事前資源分割に戻すことを選択するための第５モジュールと、を具備するプロセッサ。
【請求項８５】
無線リンクのセットのための既存の資源分割をコンピュータに取得させるコードの第１セットと、
前記無線リンクのサブセットのための既存の資源分割を攪乱し、前記攪乱を前記リンクのサブセットをサポートする一つ以上のアクセス・ポイントに前記コンピュータによって、押し進めさせるためのコードの第２セットと、
前記攪乱資源分割を示す個別のアクセス・ポイントから性能メトリクスを前記コンピュータに取得させるコードの第３セットと、
前記性能メトリクスと事前攪乱ネットワークメトリクスとを前記コンピュータに比較させるためのコードの第４セットと、
前記攪乱分割を保持すること、前記分割を更に攪乱すること又は前記性能メトリック比較に基づいて事前攪乱資源分割に戻すことを前記コンピュータに選択させるためのコードの第４セットと、を含むコンピュータ可読媒体を具備するコンピュータプログラム製品。
【発明の詳細な説明】
【技術分野】
【０００１】
以下は一般的に無線通信に関し、特に、定常状態無線通信の最適条件を促進するために無線資源の動的割当てに関する。
【背景技術】
【０００２】
無線通信システムは、音声コンテンツ、データコンテンツなどのような種々のタイプの通信コンテンツを提供するために広く展開される。典型的ワイヤレス通信システムは、利用可能なシステム資源（例えば帯域幅、送信電力）を共有することによって、多数のユーザとの通信をサポートすることができるマルチアクセス・システムでできる。この種のマルチアクセス・システムの実施例は、符号分割多重アクセス（ＣＤＭＡ）システム、時分割多重アクセス（ＴＤＭＡ）システム、周波数分割多重アクセス（ＦＤＭＡ）システム、直交周波数分割多重アクセス（ＯＦＤＭＡ）システム、などを含めることができる。
【０００３】
通常、無線多重アクセス通信システムは、同時に多数のモバイル機器に対して通信をサポートすることができる。各モバイル機器は、順方向及び逆方向リンク上での送信を介して１以上の基地局と通信できる。順方向リンク（又はダウンリンク）は基地局からモバイル機器への通信リンクに関し、逆方向リンク（又はアップリンク）はモバイル機器から基地局への通信リンクに関する。更に、モバイル機器と基地局間の通信は、単入力単出力（ＳＩＳＯ）システム、多入力単出力（ＭＩＳＯ）システム、多入力多出力（ＭＩＭＯ）システムなどを介して確立できる。
【０００４】
アクセス・ポイントとアクセス端末間の通信を調整し、多数の並行通信間の干渉を減らすために、代表的には、無線メッセージは、コードなどに従って、時間、周波数で再分割される。例えば、直交周波数分割多重アクセス（ＯＦＤＭＡ）システムで、順方向リンク・メッセージは、時間及び周波数細分割される。一つの例として、信号は時間及び周波数から成る二次元であるとみなすことができて、多数の周波数サブバンド及び多数の時間サブフレームに分割できる。各々の時間−周波数再分割は、ＯＦＤＭＡ無線信号の資源と考えられる。さらに、資源の集合は、特定のデータを搬送するように構成し得る。例えば、各時間サブフレームにおいて、スペクトル帯域幅のエッジでの周波数サブバンドは、クロストーク（ガードバンド）を減らすために削除でき、１セットのサブバンドは取得及び制御情報を予約でき、他のセットはトラフィックデータなどを予約できる。特定の周波数を解析することによって、信号を受信している無線アクセス端末（ＡＴ）は取得及び制御情報を信号から抽出でき、無関係なユーザトラフィック、などを無視できる。
【０００５】
多重アクセス通信環境での異なる無線資源は、互いに直交するように分割される。換言すれば、異なる資源は、異なる周波数帯、符号分割拡張因子、シンボル、アンテナ利得などを含めることができ、その結果（例えば、破壊的干渉を介して）他のそのような資源に関して干渉緩和となる。この減少された干渉は多数の装置が無線ネットワークの負荷能力を増加して同じ又は類似回数で送信することを可能にする。
【０００６】
信号干渉は、動的要因（例えば、移動装置人口、大気の状態など）だけでなく実質的静的要因（例えば、基地局トポロジ又は周囲景色からの散乱）から生じることがありえる。長期マクロ最適化は、静止干渉状態に対抗することにしばしば成功できる。しかし、動的状態は、展開最適化（例えば、基地局の位置づけ、方向性利得など）によって、だけ修正することをより困難にする。
【０００７】
無線通信の最近の発展は共通サービスエリア内で展開される種々のタイプの基地局（例えば、高、低又は中電力基地局は、制限されたアクセス又は一般アクセス基地局など）を見ていた。その結果、異種のアクセス・ポイント・ネットワークとなった。このようなネットワークが異なる種類の無線サービスを異なる加入者に提供するためには有効であるけれども、追加的な複雑さは伴うことになる。例えば、計画された、同質の基地局展開に効果がある典型的干渉減少技術が、計画されてないか又は異種のアクセス・ポイント・ネットワークでは有効ではないかもしれない。さらに、低電力及び制限されたアクセス基地局は第三者又はエンドユーザによって、展開でき、基地局トポロジは様々であり、頻繁に変更できる。したがって、動的ネットワーク状態を考慮する最適化は、このような環境でのよりよい信号対干渉率を提供する。
【発明の概要】
【０００８】
特許法１１９の下の優先権の請求の範囲
本特許出願は２００８年７月３１日に出願された異機種間接続ネットワークの資源分割と名称付けけられる米国仮出願番号第６１／０８５，２５６号に、優先権を主張する。そして、その譲渡人により譲渡され、ここに参照によって、明確に組み込まれる。
【０００９】
以下は、この種の態様の基本的理解を提供するために一つ以上の態様の簡略概要を示す。この概要は、全ての考察された態様の広範囲な概要ではなくて、全ての態様のキー又は基準要素を識別するのでもなく、任意の又は全ての態様の範囲を描写しないことを意図している。その唯一の目的は、後で示されるより詳細な説明の前置きとして、単純化された形式で一つ以上の態様の若干の概念を示すことである。
【００１０】
主題開示は、無線通信のための動的資源供給を提供する。さまざまな無線性能メトリクスは、無線ネットワーク性能の集合測定値としてそれぞれのネットワーク・アクセス・ポイントによって収集される。集合データは、ネットワークのための、そして、個々のアクセス・ポイントのための性能モデルを生成するために利用できる。データに対する変更は、ネットワーク性能の定常特性を提供するためにモデルに更新される。無線資源は、モデルの性能パラメータ（例えば、スループット、待ち時間など、又はパラメータの種々の組み合わせ）を最適化する方法で個々のアクセス・ポイントに予約又は割り当てることができる。主題開示の態様によっては、資源最適化は、動的状態の所定状態に対してモデルの所定状態に基づいている。他の態様において、更新資源割り当ての結果としての性能の変化は再最適化のモデルへフィードバックし得る閉ループ・システムが提供される。更に、種々の更新時間は既存の無線状態を決定するためにイベント駆動又は定期的又は性能メトリクスに少なくとも部分的に基づいているかどうかを決定するために提供される。従って、強くて動的な最適化は、異種のアクセス・ポイント・ネットワークに適合できる、無線ネットワーク資源提供のために提供される。
【００１１】
主題開示の他の態様において、無線通信の動的資源分割のための方法が、提供される。方法は、無線ネットワーク・アクセス・ポイントのための性能メトリックを得るために通信インターフェースを使用すること、性能メトリックによって、ネットワーク利用モデルへの入力を更新するためにデータ処理装置を使用すること、を含むことができ、利用モデルは、資源分割の関数及びアクセス・ポイントを少なくとも部分的に含む無線リンクのセットの性能メトリクスである。さらに、この方法はモデルのネットワーク利用パラメータを最適化する無線ネットワーク・アクセス・ポイントの資源分割を選択するためにデータプロセッサを使用することを含めることができる。
【００１２】
一つ以上の他の態様において、無線ネットワークに対して動的資源分割を提供する装置が開示されている。装置は、ネットワーク性能メトリック・データを得るためのネットワーク・インターフェース・モジュールを含むことができる。更に、装置は無線アクセス・ポイント及びＡＴリンクのセットの中の無線資源を動的に分割するように構成されるモジュールのセットを格納するメモリとモジュールを実行するためのデータプロセッサとにより構成できる。特に、モジュールのセットは、セットの個々の無線アクセス・ポイントにより提供されるネットワーク性能データを集める収集モジュール及び性能データに基づいて個々のアクセス・ポイントの少なくとも１つのための資源割当を修正する撹乱モジュールにより構成でき、変更割当は、実施のための少なくとも１つのアクセス・ポイントに送信される。
【００１３】
他の開示された態様において、主題開示は、無線通信において、動的資源分割のための装置を提供する。特に、装置は無線ネットワーク・アクセス・ポイントに搭載する情報を得るために通信インターフェースを使用する手段及び性能情報によって、ネットワーク・ユーティリティ・モデルへの入力を更新するためにデータプロセッサを使用する手段とで構成され、ユーティリティ・モデルは、資源分割及びアクセス・ポイントを少なくとも部分的に含む無線リンクのセットの性能メトリクスの関数である。装置は、モデルのネットワーク・ユーティリティ・パラメータを最適化する無線ネットワーク・アクセス・ポイントのための資源分割を選択するためにデータプロセッサを使用する手段を更に含めることができる。
【００１４】
他の態様において、無線通信の動的資源分割のために構成される少なくとも一つのプロセッサが提供される。プロセッサは、無線ネットワーク・アクセス・ポイントのための性能情報を得る第１モジュール及びネットワーク・ユーティリティ・モデルへの入力を更新する第２モジュールを含むことができ、ユーティリティ・モデルは、資源分割及びアクセス・ポイントを少なくとも部分的に含む無線リンクのセットの性能メトリクスの関数である。さらに、プロセッサはモデルのネットワーク・ユーティリティ・パラメータを最適化する無線ネットワーク・アクセス・ポイントのために資源分割を選択する第３のモジュールを含むことができる。
【００１５】
少なくとも一つの態様において、主題開示は、コンピュータ可読媒体から成るコンピュータプログラム製品を提供する。コンピュータ可読媒体は、無線ネットワーク・アクセス・ポイントのための性能情報をコンピュータに取得させるための第１セットのコードを含めることができる。さらに、コンピュータ可読媒体はコンピュータにネットワーク・ユーティリティ・モデルへの入力を更新させるための第２の組のコードを含むことができ、ユーティリティ・モデルは、資源分割及びアクセス・ポイントを少なくとも部分的に含む無線リンクのセットのメトリクスの関数である。コンピュータ可読媒体は、コンピュータにモデルのネットワーク・ユーティリティ・パラメータを最適化する無線ネットワーク・アクセス・ポイントのための資源分割を選択させるコードの第３のセットを含めることができる。
【００１６】
主題開示の追加の態様によれば、無線通信方法が、提供される。方法は、無線ネットワークによって、アクセス端末（ＡＴ）に割り当てられる無線資源を変更するためワイヤレス・レシーバを使用することを含むことができる。方法は、ＡＴで観察されるＲＦ状態に基づいて変更された無線資源割当てのための性能データをサンプリングするためにデータ処理装置を使用することを更に含むことができる。さらに、方法はサンプリングされた性能データを無線ネットワークのＢＳに提供するために無線送信機を使用することを含むことができ、提供に対する応答はサンプリングされた性能データに少なくとも部分的に基づいて、事前変更無線資源割り当てにＡＴを復帰するか又は変更割当を維持する。
【００１７】
少なくとも一つの態様において、改良された無線通信を容易にする装置が、開示される。装置は、動的資源割当てを無線ネットワークに提供するように構成されるモジュールのセットを格納するメモリを含めることができる。さらに、装置はモジュールのセットを実行するためのデータ処理装置を含めることができる。特に、モジュールのセットは、サービス中の無線ネットワークによって、送られる無線資源割当てにおける変更を識別するために受信無線メッセージを解析する資源モジュールと、資源モジュールにより識別される変更に従って装置のトランシーバを調整する構成モジュールと、装置で観察されるＲＦ状態に基づいて性能データをサンプリングし、変更した無線資源の性能評価を容易にする測定モジュールとで構成される。
【００１８】
さらに他の態様によれば、主題開示は、装置を無線通信に提供する。装置は、無線ネットワークによって、ＡＴに割当てられる無線資源を変更するために無線受信機を採用する手段と、ＡＴで観察されるＲＦ状態に基づいて、変更無線資源割り当てのために性能データをサンプリングするためデータプロセッサを採用する手段を含めることができる。更に、装置はサンプリングされた性能データを無線ネットワークのＢＳに提供するために無線送信機を採用する手段を含めることができ、提供に対する応答はサンプリングされた性能データに少なくとも部分的に基づいて、ＡＴを事前変更無線資源割り当てに復帰するか、又は変更割当てを維持する。
【００１９】
これまでに他の態様において、改良された無線通信のために構成される少なくとも一つのプロセッサが、開示される。プロセッサは、無線ネットワークによって、ＡＴに割り当てられる無線資源を変更できる第１のモジュールを含めることができる。プロセッサは、更にＡＴで観察されるＲＦ状態に基づいて変更無線資源割当てのために性能データをサンプリングする第２のモジュールを提供できる。さらに、プロセッサはサンプリングされた性能データを無線ネットワークのＢＳに提出する第３のモジュールを含めることができ、提供に対する応答はサンプリングされた性能データに少なくとも部分的に基づいて、ＡＴを事前変更無線資源割り当てに復帰するか、又は変更割当てを維持する。
【００２０】
更なる態様において、主題開示は、コンピュータ可読媒体を含むコンピュータプログラム製品を提供する。コンピュータ可読媒体は、コンピュータに無線ネットワークによって、ＡＴに割り当てられる無線資源を変更させるためのコードの第１のセットを含めることができる。更に、コンピュータ可読媒体はＡＴで観察されるＲＦ状態に基づいて、変更無線資源割り当てのための性能データをコンピュータにサンプリングさせるコードの第２のセットを含めることができる。コンピュータ可読媒体は、コンピュータにサンプリングされた性能データを無線ネットワークのＢＳに提出させるためのコードの第３のセットを含めることができ、提供に対する応答はサンプリングされた性能データに少なくとも部分的に基づいて、ＡＴを事前変更無線資源割り当てに復帰するか、又は変更割当てを維持する。
【００２１】
主題開示のさらに他の態様によれば、動的資源分割のためのコンピュータ実行方法が開示される。コンピュータ実行方法は、無線リンクのセットに対して既存の資源分割を得るための通信インターフェースを採用すること、無線リンクのサブセットのための既存の資源分割を撹乱し、この撹乱をリンクのサブセットをサポートする１以上のアクセス・ポイントに押し進めるためにデータプロセッサを採用することを含めることができる。更に、コンピュータ実行方法は、撹乱資源分割を表す個々のアクセス・ポイントから、性能メトリクスを得るため通信インターフェースを採用すること、性能メトリクスを事前撹乱ネットワークメトリクスと比較するためデータプロセッサを採用することを含めることができる。更に、コンピュータ実行方法は、撹乱分割を保持し、更に分割を撹乱する、又は性能メトリック比較に基づいて事前撹乱資源分割に復帰することを選択するためにデータプロセッサを採用することを含めることができる。
【００２２】
他の態様において、主題開示は、動的資源分割を無線ネットワークに提供する装置を提供する。装置は、無線リンクのセットに対してネットワーク性能メトリック・データを取得するネットワーク・インターフェース・モジュールを含めることができる。更に、装置は動的に無線リンクのセットの間で無線資源を動的に分割するように構成されるモジュールのセットを格納するためのメモリを更に含めることができる。さらに、装置はモジュールを実行するためのデータプロセッサを含めることができる。特に、モジュールのセットは個々の無線リンクのうちの少なくとも１つに対して資源割り当てを変更する撹乱モジュールと、撹乱資源割り当てに対してネットワーク性能データを収集する収集モジュールと、撹乱及び事前撹乱ネットワーク性能データの比較に基づいて資源割り当てを出録する比較モジュールを含めることができる。
【００２３】
さらに他の態様によれば、動的資源分割のための装置が提供される。装置は、無線リンクのセットに対して既存の資源分割を得るために通信インターフェースを使用する手段を含めることができる。更に、装置は無線リンクのサブセットに対して既存の資源分割を撹乱し、撹乱をリンクのサブセットをサポートする１以上のアクセス・ポイントに押し進める手段を含めることができる。少なくとも幾つかの態様では、装置は撹乱資源分割を示す個々のアクセス・ポイントから性能メトリクスを得るために通信インターフェースを採用する手段及び性能メトリクスを事前撹乱ネットワークメトリクスと比較するためにデータプロセッサを採用する手段を含めることができる。上記に続き、装置は撹乱分割を保持し、分割を撹乱する又は性能メトリック比較に基づいて事前撹乱資源分割に復帰するために選択するためデータプロセッサを使用する手段を含めることができる。
【００２４】
主題開示の少なくとも一つの態様において、動的資源分割のために構成される少なくとも一つのプロセッサが提供される。プロセッサは、無線リンクのセットに対して既存の資源分割を取得する第１モジュール及び無線リンクのサブセットに対して既存の資源分割を撹乱し、リンクのサブセットをサポートする１つ以上のアクセス・ポイントに撹乱を押し進める第２モジュールを含めることができる。さらに、プロセッサは撹乱資源分割を表す個々のアクセス・ポイントから性能メトリクスを取得する第３モジュール及び性能メトリクスを事前撹乱ネットワークメトリクスと比較する第４のモジュールを含めることができる。上記に続き、装置が撹乱分割を保持し、更に分割を撹乱する又は性能メトリック比較に基づいて事前撹乱資源分割に復帰することを選択する第５モジュールを含めることができる。
【００２５】
少なくとも一つの他の態様によれば、主題開示は、コンピュータ可読媒体を含むコンピュータプログラム製品を提供する。更に、コンピュータ可読媒体はコンピュータに無線リンクのセットに対して既存の資源分割を取得させるコードの第１セットを含めることができる。コンピュータ可読媒体は、コンピュータに無線リンクのサブセットに対して既存の資源分割を撹乱させ、リンクのサブセットをサポートする一つ以上のアクセス・ポイントに撹乱を押し進めさせるコードの第２セットを更に含めることができる。さらに、コンピュータ可読媒体はコンピュータに撹乱資源分割を表す個々のアクセス・ポイントから性能メトリクスを取得させるコードの第３セットを含めることができる。少なくとも一つの他の態様において、コンピュータ可読媒体はコンピュータに性能メトリクスを事前撹乱ネットワークメトリクスと比較させるコードの第４セットを含めることができる。更に、コンピュータ可読媒体は撹乱分割を保持し、更に分割を撹乱する又は性能メトリック比較に基づいて事前撹乱資源分割に復帰することをコンピュータに選択させるコードの第５セットを含めることができる。
【００２６】
前述で関連した結果の達成にとって、一つ以上の態様は、以下に充分に記載され、特に請求項において、指摘される特徴を含む。以下の説明及び添付の図面は、詳細に一つ以上の態様の特定の図示する態様を記載している。しかし、これらの態様は種々の態様の原理が採用でき、説明した態様が全てのそのような態様及びそれらの同等物を含むことを意図している若干の種々の方法を表す。
【図面の簡単な説明】
【００２７】
【図１】主題開示の態様に従った実例動的資源分割装置のブロック図を示す。
【図２】更なる態様に従って無線資源分割を最適化する実例システムのブロック図を示す。
【図３】一つ以上の他の開示された態様に従った実例資源分割装置のブロック図を示す。
【図４】明細書に開示される更に他の態様に従った実例資源分割モジュールのブロック図を示す。
【図５】無線通信の動的資源分割を提供する実例システムのブロック図を表す。
【図６】特定の態様に従った動的資源分割のためにデータを収集し、集計する実施例システムのブロック図を示す。
【図７】一つ以上の態様の動的資源分割を提供するサンプル基地局のブロック図を表す。
【図８】更に他の態様に従った動的資源供給を容易にする実例アクセス端末のブロック図を示す。
【図９】主題開示の幾つかの態様に従った資源最適化のための実施例手法のフローチャートを示す。
【図１０】他の態様に従った無線通信を最適化するために動的資源供給のための実施例手法のフローチャートを示す。
【図１１】少なくとも一つの開示された態様に従った動的資源供給を容易にするための実施例手法のフローチャートを表す。
【図１２】動的資源供給を容易にするために無線ネットワークの性能を測定するための実施例手法のフローチャートを示す。
【図１３】一つ以上の態様に従った最適化資源分割を提供する実施例手法のフローチャートを示す。
【図１４】動的資源供給及びネットワーク性能測定の実例システムのブロック図を示す。
【図１５】動的資源供給及びネットワーク性能測定の実例システムのブロック図を示す。
【図１６】動的資源供給及びネットワーク性能測定の実例システムのブロック図を示す。
【図１７】ここに開示された幾つかの態様に従った無線通信を容易する無線送信−受信チェーンのブロック図を示す。
【図１８】種々の開態様に従った実例セルラ通信環境のブロック図を示す。
【図１９】主題開示の更なる態様に従った実例無線通信環境のブロック図を示す。
【発明を実施するための形態】
【００２８】
種々の態様は、図面を参照して説明され、同じ参照番号は、全体にわたって同じ要素を参照するために使用される。説明のために以下の説明において、多数の具体的な詳細は、一つ以上の態様の完全な理解を提供するために記載されている。しかし、このような態様はこれらの具体的な詳細なしで実施し得ることは、明白である。他の例において、周知の構造及び装置は、一つ以上の態様を説明することを容易にするためにブロック図の形態で示される。
【００２９】
更に、ここの教示は多種多様な形式で実施でき、ここに開示された任意の特定の構造及び／又は機能は、単に代表的なだけであることは、言うまでもない。ここでの教示に基づいて、当業者はここに開示される態様が他のいかなる態様から独立して実施でき、これらの態様の２つ以上がさまざまな方法で組み合わし得ることを理解するであろう。例えば、装置は実施でき、及び／又は、方法はここに説明された態様の幾つかを使用して実施される。更に、装置は実施でき、及び／又は、方法がここに説明された態様の１つ以上に加えて又はそれ以外で他の構成及び／又は機能を用いて実行される。例えば、ここに説明されている、方法、装置、システム及び機器の多くは、無線通信環境において、動的資源供給(dynamic resource provisioning)を提供するコンテキストに説明されている。当業者は、類似した技術が他の通信環境に適用できることを認めるであろう。
【００３０】
無線アクセスネットワーク（ＡＮ）の無線基地局（ＢＳｓ）の計画的展開は、一般的には、送受信装置の位置、間隔及び送信／受信特性を考慮する。計画的基地局展開の目的は、送信機間の干渉を減らすことである。このように、たとえば、一つの展開計画はそれらの個別の最大送信範囲にほぼ等しい距離だけ離れて異なる基地局の間隔を開けてもよい。この形式の展開においては、基地局間の信号干渉は、最小化される。
【００３１】
計画されてないか半計画されたＢＳ展開において、無線送信機は、干渉を減らすようにしばしば配置されないことがある。その代わりに、それは（実質的に３６０度で送信する）かなり接近する２以上の送信ＢＳに対して半又は非計画的展開によって、珍しいことではない。さらに、このような展開は、（異質の送信電力環境として呼ばれる）広い範囲のサービスエリアをカバーすることによって、かなり異なる電力で送信する基地局をしばしば含んでいる。例として、光電力ＢＳ（例えば、２０ワットのマクロセル）は、中又は低電力送信機（送信電力を例えば、８ワット、３ワット、１ワット、などに変更する、例えば、マイクロセル、ピコセル、フェムトセル、など）に近接して位置づけされてもよい。より高電力送信機は、中及び／又は低電力送信機に対して干渉の重要な原因及び／又は低電力送信機のための干渉の重要な原因となる可能性がある。さらに、低電力送信機は、高電力ＢＳに対して、特にこのような送信機に近接する端末に対して、干渉の重要な原因となる可能性がある。したがって、半又は非計画環境の信号干渉及び／又は異種の送信電力環境は、しばしば、一般的な計画的マクロ基地局ＡＮと比較したとき重要な問題となる可能性がある。
【００３２】
以上のことに加えて、制限されたアクセス（Ｒａ）ＢＳｓは、半及び非計画的ＢＳ展開から生じている問題を悪化させる可能性がある。たとえば、ＲＡ  ＢＳは選択的に一つ以上の端末装置へのアクセスを、他のそのような装置に対するネットワーク・アクセスを拒絶することによって、選択的にアクセスすることができる。したがって、装置はアクセスを拒絶されなければ他のＢＳを強制的に探索し、拒絶ＢＳからの重大な干渉をしばしば観察する。ここで用いられるように、ＲＡ  ＢＳはまた、私的ＢＳ（例えばフェムトセルＢＳ又はホームノードＢ［ＨＮＢ］）、又はいくらかの類似の専門用語で呼ぶことができる。
【００３３】
上記に加えて、非計画、異種及びＲＡ展開は、無線ＡＮに対して不良の幾何学的条件に導かれる可能性がある。制限された関連がなくとも、ピコBSは経路−損失の観点から端末に近接しているために、マクロＢＳから非常に強い信号を観察する装置はピコＢＳに接続するのが良いように構成できた。ゆえに、無線ＡＮへの干渉を少なくさせながらピコＢＳは比較できるデータ信号レートで端末にサービスできる。しかし、ピコＢＳ信号（例えば、制御及び取得を含むプレアンブル）をモニタしている端末はマクロＢＳから重要な干渉を観察することになり、端末では低い信号対雑音比（ＳＮＲ）となる（例えば、ＢＳによって、検知できなくする可能性がある）。
【００３４】
ここで説明されるように、主題開示のいくつかの態様は前述の問題又は同様なネットワーク通信及び／又はアクセス問題を取り扱うために提供される。図面に戻って、図１は主題開示の態様に従った資源分割装置(resource partitioning apparatus)１０２を含む実施例システム１００のブロック図を示す。資源分割装置１０２は、ネットワーク性能メトリクス(network performance metrics)に基づいて、アクセス・ポイントのセット又はそのようなアクセス・ポイントによって、サービスされる端末に対して資源を動的に割り当てるために使用できる。割当ては、既存の状態に対して性能を最適化し、変化を認識するために長い時間をかけてネットワーク状態をモニタするために行うことができる。変化に基づいて、資源供給は、ネットワーク性能を再最適化するために更新できる。態様によっては、既存の資源供給における撹乱(perturbations)が有益なときに撹乱供給(perturbed provisioning)を保持し、有害な場合には、事前撹乱状態(pre-perturbed state)に復帰することによって、資源最適化を微調整するために導入できる。
【００３５】
ここで用いられるように、無線資源は無線チャネルの種々の部分を参照できる。さらに、用語、資源は、いかなる適切な無線通信アーキテクチャも含むことを意図している。主題開示のいくつかの態様は１つの無線通信アーキテクチャに関係する資源の具体例を参照できるが、開示及び請求項はその特定のアーキテクチャに限定されるように解釈されるべきでない。むしろ、他の無線アーキテクチャ（必要な場合、修正されて）に対するこのような実施例の適用は、主題開示の範囲の一部として意図している。たとえば、特定の実施例が直交周波数分割多重（ＯＦＤＭ）シンボルを、ＯＦＤＭアーキテクチャの無線資源として参照すれば、この実施例は符号分割多重（ＣＤＭＡ）システムの分布係数資源に適用できるように解釈できる。一般的に言って、用語資源は、広義で使用され、フレーム、整数のフレームにより離間されるデータフレームのセットを示すインターレース、周波数搬送波又は副搬送波、ＯＦＤＭシンボル、資源ブロック、タイムスロット又はサブスロット、ＣＤＭＡの分布係数又は符号拡散に基づく他のアーチテクチャ、アンテナ又は多重アンテナシステムのビームフォーミングパターン又は同様なもの、若しくはその適切な組み合わせを含む。
【００３６】
ここに記載されている他の資源分割装置だけでなく資源分割装置１０２は分散最適化のためのネットワーク基地局で（例えば（図７参照）以下で）独立して実行できる。あるいは、資源分割装置１０２は共通基地局のサービスエリア内又は近くのアクセス・ポイントのセットに対して最適化をするために共通基地局で実施し得る。他の方法として、資源分割装置１０２は（例えば、ネットワーク・コントローラにより支配される領域の中で、マクロ、マイクロ、ピコ及びフェムト基地局を含むことができる）基地局のセットに対して集中化した最適化をするためネットワーク・コントローラ（例えば、（図１５参照）以下で）で実施し得る。前述のケースのいずれかにおいて、性能データは、動的資源提供のために豊富で多様な基礎を提供するために基地局内で又はネットワーク・コントローラによって共有できる。
【００３７】
資源提供装置１０２はネットワーク性能メトリック・データを得るためのネットワーク・インターフェース・モジュール１０６を含むことができる。データは、一つ以上の情報源から得ることができる。一つの態様では、データは基地局（例えば、無線トランシーバ１０８）により送信され、ＡＴ（図示せず）で受信されるダウンリンク（ＤＬ）信号の解析により得られる。ＤＬ信号解析は、信号干渉測定値、スループット測定値、待ち時間測定値、信号対雑音比（ＳＮＲ）測定値、経路損失評価、アンテナ利得推定値、等若しくはその適切な組み合わせを含めることができる。この無線ネットワーク性能データはネットワーク・インターフェース・モジュール１０６にデータを送る無線トランシーバ１０８にＡＴによって、提出できる。
【００３８】
主題開示の他の態様において、ネットワーク性能メトリック・データは、上記の通りに類似したメトリクスを用いて、アップリンク（ＵＬ）信号の解析から得ることができる。そのような解析は基地局（例えば無線トランシーバ１０８）で、資源分割装置１０２で、ネットワーク・コンポーネント（例えば無線ネットワーク・コントローラ［ＲＮＣ］）などで実行できる。資源分割装置１０２に接続された基地局（１０８）で実行される解析は、ネットワーク・インターフェース・モジュール１０６（例えば、システムバスを介して、又は有線の接続（例えばイーサネット（登録商標）接続、同軸ケーブル接続又は他の適切なローカル有線のインターフェース）を介して）に直接に送ることができる。無線コアネットワーク内で又は無線アクセスネットワーク（ＲＡＮ）中央コントローラで発生されるデータはＴ−１ライン、Ｔ−３ラインのような有線ネットワーク接続、又は他の適切な有線ネットワーク接続を介してネットワーク・インターフェース・モジュール１０６に送ることができる。隣接基地局（図示していないが、図６以下をみると）が帰路接続を介してネットワーク・インターフェース・モジュール１０６に、又は無線（ＯＴＡ）を介してＡＴ，無線リピータ又は他の無線装置によって、無線トランシーバ１０８に送ることができる。
【００３９】
資源分割装置１０２で得られるネットワーク性能データは、メモリ１１２に格納できる。更に、メモリ１１２は無線アクセス・ポイントのセットの中の無線資源を動的に分割するように構成されるモジュール（１０８、１１０）のセットを格納するために使用できる。さらに、資源分割装置１０２はモジュールを実行するためのデータプロセッサ１０４を含めることができる。主題開示の少なく幾つかの態様によれば、モジュールのセットはセットの個々の無線アクセス・ポイントにより提供されるネットワーク性能データを集める収集モジュール１０８を含む。更に、モジュールのセットは撹乱モジュール１１０を含めることができ、これは収集モジュール１０８から集合データセット１０８Ａを受信し、個別のアクセス・ポイントの少なくとも１つに対する資源割り当てを変更し、変更割り当て１１０Ａは、実施のための少なくとも一つのアクセス・ポイントに送信される。
【００４０】
集合データ１０８Ａは、一つ以上のネットワーク・アクセス・ポイント（１０８）の資源割り当てのための性能データを含めることができる。集合性能データ（１０８Ａ）は、資源ごとに（例えば、周波数サブバンドごとに、タイムスロット又はサブスロットごとに、シンボルごとに、分布係数ごとに、など）又は資源のセットごとに解析できる。更に、データ（１０８Ａ）は、アクセス・ポイントごとに、アクセス・ポイント（例えば、高電力基地局、低電力基地局、制限アクセス基地局、など）のタイプごとに、又はアクセス・ポイントのセットごとに解析され、適切なデータベース（図示せず）に格納できる。集合データはこれらの又は同様な因子の関数として解析される性能情報を保持できる。その結果、資源変更（１１０Ａ）の結果としての性能の変化はこのような因子の関数として少なくとも解析できる。
【００４１】
撹乱モジュール１１０は、集合データ１０８Ａを得て、幾つかのモードの一つ以上で動作できる。一つの例として、撹乱モジュール１１０はアクセス・ポイントに対する性能データ特性（例えば、スループット、待ち時間、経路損失、その他）又はアクセス・ポイントのセットを一つ以上の閾値性能レベルと比較できる。これらの閾値性能レベルは、量的性能データ（例えば、１００−５００キロビット／秒［ｋｂ］の範囲のスループット）を質的なレベル（例えば、１００ｋｂの最小限のスループット、２５０ｋｂの標準のスループット、３５０ｋｂ以上の高スループット）に関連させることができる。撹乱モジュール１１０がアクセス・ポイント又はＡＴに対する最少受け入れ可能閾値以下（例えば、標準のスループット以下）となる性能データを検出する場合に、既存の資源割当に対する変更（１１０Ａ）が（例えば、ネットワーク・インターフェース・モジュール１０６を介して）生成及び送信し得る。変更は集合データ１０８Ａから決定される解析性能特性に対して高い性能を示す資源ででき、又は適切なランダムウオーク式又は類似の撹乱式から決定される比較的小さい調整でできる。
【００４２】
他の実施例動作モードとして、撹乱モジュール１１０は時間とともにアクセス・ポイントのセットに対して変更資源割り当て（１１０Ａ）を行うことができる。このようなモードにおいて、変更はアクセス・ポイントのセットに同期でき、個々の変更は、単一の時間でセットの各アクセス・ポイント毎に又は非同期になされ、変更は、異なる時間でセットの異なるアクセス・ポイントに対して行うことができる。同期モードにおいて、アクセス・ポイントのセットに対する変更時間は、一つ以上の性能閾値と比較される集合性能（１０８Ａ）に基づいて確立（又はより長く又はより短く調整）でき、又は許容性能レベル以下に低下する一つ以上のアクセス・ポイントを識別することに基づくことができる。非同期モードについては、変更時間は、確立した撹乱時間に基づいて、異なるアクセス・ポイントに対して、又はアクセス・ポイントのサブセットに対して、別々に決定でき、既存の性能に対して任意に調整できる。一旦変更時間が経過すると、資源変更１１０Ａは、ここで説明したように、生成され、一つ以上のアクセス・ポイントに押し進められる。
【００４３】
さらにもう一つの実施例作動モードとして、撹乱モジュール１１０はイベントベース修正資源割り当て（１１０）を生成できる。一つ以上のアクセス・ポイントに対して、適切なイベントを検出すると、変更資源割り当て１１０Ａが生成され、個々のアクセス・ポイントに押し進められる。イベントベース資源変更は、図４で以下に詳細に検討される。撹乱モジュール１１０及び資源分割装置１０２が前述の作動モードに限られていないことは言うまでもない。たとえば、前述の動作モードの適切な組合せは、実行できる。この種の組合せの１つの実施例として、同期時間が資源割り当ての変更のための基準として確立することができ、この基準は１以上の性能閾値に関連する集合データ１０８Ａから決定されるように最適性能又は準最適性能のためにそれぞれより長く又はより短く調整できる。更に、適切な定義済みのイベントは、少なくともアクセス・ポイント又はイベントにより影響されるＡＴに対して、ベースライン時間又は調整された時間から独立して変更資源割り当てを生成するため撹乱モジュール１１０をトリガすることができる。当業者によって知られる若しくはここで提供されるコンテキストによって知らされる他の適切な動作モード又はその組み合わせは主題開示の範囲の一部として含まれる。
【００４４】
図２は、主題開示の追加の態様による実施例システム２００のブロック図を示す。システム２００は、資源分割モジュール２０２によって実行できる無線資源最適化の特定のモードを示す。資源分割モジュール２０２が上記した資源分割モジュールに実質的に類似（又はここで説明されている他の資源分割モジュールに実質的に類似）できることは言うまでもない。
【００４５】
資源分割モジュール２０２は、異なる資源割当状態２０８に関連する集合された無線ネットワーク性能データ（２０６Ａ、２０６Ｂ）を格納するために使用できるメモリ２０４を含む。たとえば、ネットワーク性能データ（２０６Ｂ、２０６Ａ）は撹乱資源割当状態２０６Ｂに関連するデータ（又は撹乱データ若しくはｐ−データ）だけでなく非撹乱資源割当状態２０６Ａ（又は非撹乱／事前撹乱データ若しくはｎ−データ）を含めることができる。２つのデータ・ファイルだけがメモリ２０４に記憶されるように示されているけれども、多数のファイルは一連の撹乱に関連するメモリ２０４に格納できることは言うまでもない。代わりに又は追加的に、ファイル２０６Ａ、２０６Ｂはデータベース又はスプレッドシートフォーマッティングにおける単一ファイル（図示せず）ででき、それは資源ごとに、アクセス・ポイントごとに、ＡＴごとになどだけでなく、撹乱繰り返しごとにデータのセットに相互に関連する。従って、種々のネットワーク・コンポーネント及び資源撹乱繰り返しの関数として、性能データを解析することによって、資源割当の変更の関数としてのネットワーク性能の詳細な説明は、記憶データ２０６Ａ、２０６Ｂにより提供されることができる。
【００４６】
システム２００は、このような割当てと関連する性能データ２０６Ａ、２０６Ｂの関数として、個々の資源割当繰り返し２０８を評価する比較モジュール２１０を含むことができる。具体例としてたとえば、比較モジュール２１０は、ネットワーク性能上の資源割当の撹乱の効果を評価するために、非撹乱データ２０６Ａを撹乱データ２０６Ｂと比較できる。比較モジュール２１０は、撹乱と事前撹乱ネットワーク性能データとの比較に基づいて、最適資源割当を出力する。最適資源割当は、その後、資源分割装置２２０によって、実施のための関連アクセス・ポイントに押し進めることができる。
【００４７】
１つの特定のアプリケーションにおいて、システム２００はネットワーク資源割当の繰返し最適化を提供するために使用できる。このように、性能データは、アクセス・ポイントで測定されるＵＬ性能データと同様に、アクセス・ポイントによって、サービスされるＡＴで測定されるＤＬ性能データを含むことによって、ネットワーク・アクセス・ポイントから得ることができる。この性能データは、非撹乱データ２０６Ａとして格納できる。非撹乱データ２０６Ａに基づいて、ここに記載されているように、資源分割装置２０２は、アクセス・ポイント又はＡＴのための資源変更を生成できる。一旦資源変更が実行されると、追加的な性能データは更新資源割当に基づいて得ることができて、撹乱データ２０６Ｂとしてメモリ２０４に保存できる。非撹乱データ２０６Ａを撹乱データ２０６Ｂと比較することによって、比較モジュールは、アクセス・ポイント又はＡＴのための資源の好適なセットを決定できる。（撹乱又は非撹乱）資源の好適なセットは資源分割装置２０２により選択され、（それは、撹乱資源が好まれる場合、現在の資源割当を保持するか又は非撹乱資源割当に戻ることを含めることができる）実施のためアクセス・ポイントに押し進めることができる。
【００４８】
図３は、主題開示の更なる態様に従って実施例資源分割装置３００のブロック図を示す。資源分割装置３００は、無線ネットワークのための資源割当のリアルタイム最適化を提供できる。それぞれのタイプの資源のための性能メトリック・データの利用性に基づいて、最適化はＵＬ資源、ＤＬ資源又は両方ともに適用できる。更に、資源分割装置３００は単一のアクセス・ポイント又はサービスエリアに対して配信資源最適化を（例えば、単独で又は配信最適化のための他の装置３００と関連してのいずれかで）、又は、アクセス・ポイントのセット又はサービスエリアに対して中心資源最適化を提供できる。前者の場合、装置３００は基地局に取り付けることができ、その基地局に関連する無線資源を最適化でき、又はサービスエリアのあるポイント（例えば、マクロ・サービス・エリアにサービスしているマクロ基地局）で取り付けることができ、サービスエリア内又は近傍で動作するアクセス・ポイントの無線資源を最適化できる。このような場合、装置３００は、それぞれ、基地局に無線ネットワークによって、割当てられる資源の所定の範囲又はサービスエリア内で動作でき、又はネットワーク割当て資源をプールするため及び資源のプールにわたり最適化するため（例えば、図１５以下に示されるように、隣接マイクロサービスエリアに設置される）他の近接装置と取り決める。中心資源最適化のために、資源分割装置３００は無線ネットワーク（例えばＲＮＣ）のコンポーネントに取り付けることができ、アクセス・ポイントのセット及び無線ネットワークにより採用される無線資源の全範囲にわたるＡＴに対して資源最適化を提供できる。
【００４９】
資源分割装置３０２は、データ及び資源分割モジュール３０４のセットを実行するデータ処理装置３０２を含めることができる。モジュール３０４のセットは、ここに説明されているように、無線ネットワーク性能メトリックに基づいて最適資源割当を決定するために構成できる。その上、モジュール３０４のセットは、開ループ方法又は閉ループ方法で動作できる。開ループ動作のために、資源分割装置３００は性能メトリック情報（例えば、ネットワーク・トポロジ、現在の負荷、スループット、待ち時間、その他）をＵＬ又はＤＬチャネルのために収集する。配信最適化のために、収集データは、一般的には、特定のサービスエリア（例えばマクロ・サービスエリア）の範囲内で動作している基地局及び端末からものであるが、同様に隣接したサービスエリアから収集された（例えば、帰路ネットワークを介して共有され、又は無線端末、レピータ又は中継器からＯＴＡを得られた）データを含むことができる。集中最適化のために、収集したデータは、資源分割装置３００に接続されるネットワーク・コントローラと関連するそれぞれのアクセス・ポイントから得られる。
【００５０】
配信又は中心ケースのいずれかにおいて、好適な資源分割は、収集データの集合及び解析に基づいてアクセス・ポイントのセットに対して行われ。好適な資源分割が既存の分割と異なれば、変更資源割当は好適な分割から作成され、実施のためのそれぞれのアクセス・ポイントに押し進められる。あるいは、好適な資源分割はアクセス・ポイントの中で配信でき、これは好適な分割に応ずるために必要な資源変更を識別することができ、それらの変更を実行できる。
【００５１】
閉ループ最適化のために、性能メトリック・データは繰り返し収集され、資源最適を微調整するために資源分割装置３００にフィードバックされる。閉ループ最適化の１つの実施例は、決定指向方法である。この実施例方法によれば、資源分割装置３００は特定の分割が（例えば、一つ以上のパ性能閾値と比較して）適切化どうかを決定するために性能メトリックの移動平均測定を採用できる。たとえば、データ及び資源分割モジュール３０４は、既存の分割（例えば、１つだけ共有資源の増減）を撹乱できる。この撹乱は、ランダム又は疑似ランダム（例えば、適切なランダム／擬似ランダムアルゴリズムにより実行される）又は（例えば、性能メトリック・データの閾値変化に基づいて）決定でき、資源分割装置３００により管理されるアクセス・ポイントに通信され、（例えば、隣接マクロセルにおいて、）同様に隣接アクセス・ポイントに任意に通信される。撹乱に影響を受けるアクセス・ポイントは、指定された期間の間のこの新規な資源分割の下で動作する。アクセス・ポイントは、性能メトリック・データを撹乱分割、ＵＬ及びＤＬのために収集し、資源分割装置３００に撹乱データを送付する。資源分割装置３００は、種々の性能統計（例えば、ＡＴスループット、待ち時間、資源公正さ、干渉、ＳＮＲ、アクセス・ポイント・バッファ・サイズ、現在又は推定負荷、その他）の関数としてデータにフィルタをかけることができ、フィルタを通したデータを性能閾値のセットと比較できる。比較に基づいて、データ及び資源分割モジュール３０４は、撹乱分割を保持することを決定し、又は非撹乱分割に復帰する。決定は、それから撹乱資源分割を保持するか又は変更するためにそれぞれのアクセス・ポイントに押し進めることができる。
【００５２】
１つの特定の意思決定実施例として、データ及び資源分割モジュール３０４は、決定指向最適化のための支配的な要因として、中央スループットを使用できる。この実施のために、アクセス・ポイントによって、サービスされるＡＴのセットの中央スループットは、既存の資源分割のために求められる。資源分割装置３００は、それからメモリ３０８に格納される一連の規則３１２に従って既存の資源分割を攪乱し、試用期間にわたり実施するためのアクセス・ポイントに攪乱を押し進める。（攪乱はそれらのアクセス・ポイントで使用される資源分割装置３００による解析のために、隣接サービスエリアだけでなくサービスエリアの範囲内で他のアクセス・ポイントに押し進めることができる。）ＡＴスループット・データは試用期間を通じて測定され、平均ＡＴスループット・メトリックに統合され、それは資源分割装置３００に送られる。平均スループットが（例えば、前の平均スループット測定値又は一定スループット値を任意にプラス又はマイナスする静的な又は時変歴史的スループット（time-varying historic throughput）を含めることができる）デフォルト閾値を超えれば、資源分割装置３００はアクセス・ポイントに攪乱された分割を保持するように指示する。そうでなければ、アクセス・ポイントは従来の資源分割に戻るように指示される。
【００５３】
以上のことに加えて、資源分割装置３００は動的ネットワーク性能状態のために最適資源割当を維持するために周期的にモジュールのセット３０４を再実行する定常モジュール３０６を含むことができる。一つの実施例において、定常モジュール３０６は、単に周期的にモジュールのセット３０４を再実行することによって、最適化保守を達成できる。再実行期間は、メモリ３０８に格納されるタイミング・アルゴリズム３１０によって、定義できる。任意に、タイミング・アルゴリズム３１０は既存のパフォーマンス・メトリックが良い（例えば、好適な閾値を超える）場合の期間を長くするか又は既存のパフォーマンス・メトリックが悪い（例えば、最小限の閾値未満である）場合の期間を短くすることによって、既存の性能メトリック・データを明らかにできる。この任意のケースにおいて、定常モジュール３０６は、資源攪乱／最適化モジュール（例えば、図１の攪乱モジュール１１０及び図２の比較モジュール２１０を参照）よりしばしばデータ収集モジュール（例えば、図１の収集モジュール１０８を参照）を実行できる。たとえば、摂動モジュール（１０８、２１０）はデータ収集期間の一部の間で実行できる。上記の通りに、サブセットは収集データの評価に基づいて変えることができる。これは時間とともに性能データをモニタすることを可能にし、適切なとき又は必要な時に実施される資源変更をモニタすることを可能にする。資源変更は、性能データのさまざまな変更に基づいて、資源分割の変更を管理するプロトコルを含む規則３１２に基づくことがありえる。規則３１２は、資源分割を攪乱する（１つだけ増加又は減少する）ような、ここで説明される資源の変更を含めることができ、また、性能データ及び規則３１２により特定される所望の性能に基づき（例えば、歴史の性能データによって、グループ化される）無線資源の所定のセットの中から選択することを含めることができる。
【００５４】
最適資源分割がＵＬ及びＤＬ資源割当のために異ならせることができることは言うまでもない。したがって、資源分割装置３００はＵＬ資源及びＤＬ資源に対して別々に動的資源分割を実行できる。これは、開ループ最適化だけでなく閉ループ最適化の両方に適用できる。選択肢として、例えば、オーバヘッドを処理することを減少するために、ＵＬ及びＤＬ資源分割が固定できる（この固定分割は資源分割装置３００により使用される処理資源［３０２］が閾値最大使用を超えれば、−特にデータプロセッサ３０２が基地局により使用される共有プロセッサでもある場合−実施できる−図７以下参照）。後者の選択肢では、資源分割のための性能メトリクスは、ＤＬ及びＵＬ統計の両方を組み込むことができる。たとえば、ＵＬ及びＤＬ性能メトリクスの重み付平均は、ＵＬ及びＤＬ資源の中で固分割のために使用できる。
【００５５】
図４は、主題開示の態様に従うイベントに拠点を置く資源変更を実行するためのサンプル資源分割装置４００のブロック図を例示する。資源分割装置４００は、ネットワークのためにネットワーク・トポロジと性能データを取得するネットワーク・インターフェース・モジュール４０２を備える。トポロジ及び性能データは一つ以上のアクセス・ポイントの状態（例えば、アクティブ、インアクティブ、パワーダウン、など）、個々のアクセス・ポイントによって、サービスされるＡＴ、及びここに説明されるように、アクセス・ポイントとＡＴ間の無線通信に関連する性能メトリクスを含めることができる。性能データは、ＡＴ毎に、アクセス・ポイント毎に、そして、資源又は資源のグループ毎に集計され、解析され、ネットワーク・ユーティリティ・モデル４０６としてデータベース４０４に格納される。主題開示の少なくとも一つの態様において、性能データは、性能対資源割当の革新的モデルを構築するために、資源割当、攪乱繰り返し、等の関数として更に解析できる。更に、ネットワーク・トポロジ／性能データの変更は定常モデルを生成することによって、モデル４０６に更新できる。更に、データは、変更の時間又はイベントベース進行をネットワーク・トポロジ性能に与えるために、更新ごとにデータベース４０４において、解析することができる。
【００５６】
ネットワーク・ユーティリティ・モデル４０６の１つの特定の実施例は、以下の通りである。提供される実施例に加えて又は代わりに、無線ネットワークのセットを記述した他のデータ・モデルがネットワーク・ユーティリティ・モデルのために使用できることは言うまでもない。たとえば、無線リンクのセットの他のデータ表現及び従来技術において、知られた又はここに提供されるコンテキストによって、当業者に知らされたそのようなリンクの性能は主題開示の範囲に含まれる。
【００５７】
一つの実施例において、ネットワーク・ユーティリティ・モデル４０６は無線リンクのセットのための資源分割装置４００によって発生できる。ここで利用されるように、用語無線リンクは無線通信プロトコルのセット（例えば第三世代提携プロジェクト、第三世代提携力プロジェクト２、移動通信のグローバルシステム、その他）により管理される、無線通信装置間のデータの無線交換を参照する。無線リンクは、共通に基地局及びＡＴを含む、しかし、他の無線参加者は、１以上のリピータ又は中継器、専用リピータ／中継器又は基地局若しくはそのような機能を行うＡＴかどうかを含めて、無線リンクの範囲内で含めることができる。ネットワーク・ユーティリティ・モデル４０６は、無線リンクのセットのための既存の資源分割の関数として、少なくとも部分的に発生する。資源分割は、それぞれの無線リンクにネットワークによって、割り当てられる無線資源を含む。資源はそれぞれのリンクに割り当てられる、特定の周波数副帯域、時間サブスロット、チャネル・インタレース、ＯＦＤＭシンボル、分布係数、等、又はその組み合わせを含むことができる。このように、この態様では、ネットワーク・ユーティリティ・モデル４０６は無線リンクのための無線資源割り当てのマップを提供する。
【００５８】
以上のことに加えて、ネットワーク・ユーティリティ・モデル４０６はまた、無線リンクのセットの性能メトリクスの関数でもありえる。たとえば、無線リンクのサブセットをサポートしている無線ネットワーク・アクセス・ポイント（図示せず）は、サポートされたリンクに関係する無線状態（例えば無線周波数［ＲＦ］状態）を解析することができて、資源分割装置４００に解析結果をアップロードすることができる。無線状態は、データレート、スループット、待ち時間、信号対雑音比（ＳＮＲ）、トラフィック負荷、ＡＴ負荷、アンテナ利得、干渉、散乱、その他の計測を含むことができる。更に、これらの無線状況は無線リンクによって、サポートされるデータ交換（例えば測定データレート又は待ち時間）から直接に測定でき、又は受信機で観測されるように（例えば、既存の干渉及び散乱に基づき）既存のチャネル状態から予測できる。測定された／予測された無線状態は性能メトリクスとして資源分割装置４００に供給される。そして、資源分割のためのネットワーク性能の既存又は予測解析を提供する。
【００５９】
既存の資源分割及び性能メトリック・データに加えて、ネットワーク・ユーティリティ・モデル４０６は、歴史的分割又は性能メトリック・データにより構成できることは言うまでもない。歴史的データは、リンクのセット又はそのサブセットに対して、資源分割影響性能メトリクスにどのぐらいの変化かあるかを識別するために使用できる。加えて、資源分割と性能メトリクス間の相互関係は、歴史的で既存のデータから得ることができる。少なくとも一つの態様において、性能メトリクス及び相互関係は無線リンク又は無線リンクのサブセットごとに、アップリンク（ＵＬ）又はダウンリンク（ＤＬ）チャネル又はチャネルのセットごとに、ＡＴ又はＡＴのセットごとに、など、若しくはその組み合わせごとに解析できる。
【００６０】
モデル４０６を用いて、分割と性能間の相互関係が、無線リンクのセットに対して求められる。モデル４０６への資源入力は、性能メトリクスの変化を予測するために撹乱される可能性がある。主題開示の幾つかの態様において、ネットワーク・ユーティリティ・パラメータは無線リンクのサブセットに対する、１以上の性能メトリクス（例えば、特定のアクセス・ポイントに対するスループット、又は高サービス品質［ＱｏＳ］トラフィック又は高ＱｏＳアプリケーションに従事しているＡＴのセットに対するデータレート）から求めることができる。ネットワーク・ユーティリティ・パラメータ（例えば最大データレート）を最適化することによって、好適な資源分割が、選択できる。
【００６１】
一つの例として、変更資源分割は、ネットワーク・ユーティリティ・モデル４０６（例えば、撹乱モジュール４１２によって、以下に示す）に更新できる。資源分割と性能メトリクス間の相互関係に基づいて、モデル４０６は変更資源分割に基づいて更新ネットワーク・ユーティリティ・パラメータ値を出力できる。主題開示の少なくとも一つの態様において、資源分割装置４００は無線ネットワーク・アクセス・ポイント又はモデル４０６のネットワーク・ユーティリティ・パラメータを最適化するか又は最大化するアクセス・ポイントのセットに対して資源分割を選択できる。このように、ネットワーク・ユーティリティ・パラメータが少なくとも閾値量によって、改善すれば、撹乱が最適である推定値が得られる。ユーティリティ・パラメータが閾値量より少なく変化すえば、撹乱に意味がない推定値が得られる。ユーティリティ・パラメータが閾値量よりも悪くなれば、撹乱が有害である推論値が得られる。態様によっては、１以上の閾値が、成功した、重要でない又は有害な変化を決定するために利用される。
【００６２】
主題開示の少なくとも一つの特定の態様によれば、選択資源分割は、実施のために影響を受ける無線リンクをサポートするネットワーク・アクセス・ポイントに配信できる。ネットワーク・アクセス・ポイントに対するＲＦ状態は、更新できる。それに応じて、性能データは更新ＲＦ状態に対して受信できる。その後、この性能データは、ネットワーク・ユーティリティ・パラメータを最最適化するためにモデル４０６への入力（例えば、パフォーマンス・メトリック入力）として使用できる。
【００６３】
資源分割装置４００は、主題開示の一態様では、ネットワーク・トポロジの変化又は（装置の位置に関して）隣接セルの資源分割の変化の一方に基づいて撹乱モジュール４１２の実行を初期化するイベント・モジュール４０８を更に含む。ネットワーク・トポロジ又は資源分割の的確な変化は、メモリ４０４に保存される一連のイベント４１０に含まれる。ネットワーク・トポロジの変化を制限する実施例は、アクティブ・アクセス・ポイント（例えばＡＴにサービスするために利用できるアクセス・ポイント）の数の変化、アクセス・ポイントによって、サービスされるＡＴの数の変化、特定のサービスエリアに入っているか又は留まっているＡＴ、アクセス・ポイントへのあるいはからのＡＴハンドオフ、ＡＴ負荷又はアクセス・ポイントでのトラフィック負荷の量の変化など又はその組み合わせを含む。イベント・モジュール４０８は適正なイベントを識別するためにネットワーク・ユーティリティ・モデル４０６をモニタし、そのようなイベントが識別されると、撹乱モジュール４１２をトリガする。撹乱モジュール４１２は、トリガ・イベントの関数として、又はネットワーク・ユーティリティ・モデル４０６の状態の関数として、資源割当の変化を定めている一連の規則４１４にアクセスする。変更資源割当は、規則４１４に従って撹乱モジュール４１２により行われ、関連するネットワーク・アクセス・ポイントにネットワーク・インターフェース・モジュール４０２を介して押し進められる。次のネットワーク・トポロジ／性能データは、モデル４０６に更新され、変更資源割当によって、なされる変化を反映するために解析できる。
【００６４】
前述のように、資源分割装置４００は無線通信ネットワークのリアルタイム性能モデル（４０６）に基づいて、動的資源最適化を提供できる。これは、ネットワーク効率の重大な増加となりえる。さらに、動的資源最適化は自動的に資源分割をトポロジの変化、強調的ローミングＡＴ、サービスエリアの範囲内の新しいアクセス・ポイントの追加、一つ以上のアクセス・ポイントの失敗、その他に適応できる。したがって、資源分割装置４００は無線ネットワーク動作及び保守の重要な改良を提供する。
【００６５】
図５は、主題開示の態様に従って無線チャネル性能データを測定するために実施例システム５００のブロック図を示す。システム５００は、ＡＴ  ５０２に無線で結合されるサービス中基地局５０４を含む。サービス中基地局５０２は、性能統計に従ってＡＴ  ５０２により送信されるＵＬ信号を解析できる。更に、ＡＴ  ５０２への及びからのデータ通信はスループット、待ち時間、データレート又はＡＴ５０２を含むトラフィック通信のための同様な測定値に達するように測定できる。代わりに又は加えて、ＡＴ  ５０２はサービス中基地局５０４により送信されるＤＬ信号統計を測定する性能装置５０６により構成できる。主題開示の態様に従えば、性能装置５０６は、同様に更にトラフィック通信のための上の測定を実行できる。
【００６６】
性能装置５０６は、無線通信のための動的資源割当を容易にするように構成されるモジュール（５１０、５１２、５１４）のセットを格納するメモリ５１６及びモジュール（５１０、５１２、５１４）のセットを実行するためのデータ処理装置５０８より構成できる。主題開示の態様によっては、モジュール（５１０、５１２、５１４）のセットはサービス中基地局５０４により送信される変更資源割当を識別し、アクセス端末５０２をそれら資源に調整するように構成される。更に、モジュール（５１０、５１２、５１４）のセットは、変更資源割当に関連する性能データをサンプリングし、サンプルリングデータをサービス中ＢＳ  ５０４に送信するように構成できる。主題開示の少なくとも一つの態様において、性能装置５０６は、ＡＴ  ５０２により使用されるＵＬ資源を最適化するためメモリ５１６に格納される規則（図示せず）により構成できる。他の態様において、最適化はサービス中基地局５０４又は関連ネットワーク・コンポーネントで実行され、ＡＴ  ５０２に伝達される。
【００６７】
モジュール５１０、５１２、５１４のセットは、ＡＴ  ５０２のためのサービス中無線ネットワーク（例えば基地局５０４）によって、送られる無線資源割当の変化を識別するために受信無線メッセージを解析する資源モジュール５１０により構成できる。モジュールのセットは、また、資源モジュール５１０により識別される変化に従ってＡＴ  ５０２のトランシーバを調整する構成モジュール５１２を含む。さらに、モジュールのセットは、変更無線資源にわたってＡＴ  ５０２のための性能データをサンプリングし、変更無線資源の性能評価を容易にする測定モジュールにより構成できる。性能データは、資源又は資源のセットごとにデータプロセッサ５０８によって、解析できる。あるいは、性能データはＡＴ  ５０２で処理資源を保存するために解析されないで（例えば、テキストファイルとして）送ることができる。場合によっては、データを解析するか又は解析しないかの決定はプロセッサ５０８の既存の負荷、ＡＴ５０２のバッテリ強度、又は同様な考慮に基づくことができる。
【００６８】
性能装置５０６の動作は、少なくとも２つの代替装置において、実行できる。１つの装置において、性能データがサービス中基地局５０４に提出され、これがここで記載されているように、性能評価を行う。更新資源割当を含むサービス中基地局５０４からの応答は、ＡＴ  ５０２で受信でき、資源モジュール５１０によって、識別できる。上記のように、その後、更新資源割当は、それらの割当てを実行するために構成モジュール５１２により調整される。代替装置では、最適化及び動的資源分割は性能装置５０６によって、少なくともある程度提供される性能メトリックに基づいて、ネットワークベース分割装置で主に実施される。
【００６９】
他の態様において、性能データは任意にメモリ５１６に保存できる。このような態様において、メモリ５１６はここに説明されているように、データベース又は資源ごとに、資源のセットごとに、性能特性ごとに、最適化繰り返しごとに、など性能データを解析できるデータ解析モジュールを含む。解析データは、ＡＴベース資源最適化（例えば下に、ＡＴベース資源最適化のより詳細のため、例えば、（図６を参照）のための性能装置５０６によって、利用できる。このように、主題開示の少なくとも一つの態様で、動的資源分割及び最適化は、ここのほかの箇所に説明されているように基地局又はネットワーク実施資源分割に関連して又はその代替としてのいずれかで、ＡＴ５０２で行うことができる。
【００７０】
ＡＴベース資源最適化を含む後者の装置のために、ＡＴ  ５０２は、ネットワークに登録すると、サービス中基地局５０４と関連するネットワークから、ネットワーク最適化規則を要求できる。このような規則が受信されれば、性能装置５０６はこのような規則に基づいて資源最適化のためのモジュールを実行できる。ＵＬ性能メトリック・データがサービス中基地局５０４から利用できれば、資源最適化はＵＬ信号統計を含めることができる。ＵＬ性能メトリクスが利用できない場合、ネットワーク規則がＤＬオンリーメトリクスに基づいて資源最適化プロトコルを含んでいれば、性能装置５０６は、測定モジュール５１４によって、発生するＤＬ信号性能メトリクスに基づいてネットワーク規則を使用できる。そうでなければ、代わりに、性能装置はネットワークベース最適化装置に初期値に設定できる。
【００７１】
図６は、主題開示の特定の態様に従って動的資源提供を容易にする実施例システム６００のブロック図を示す。システム６００は、マクロ・サービスエリアをサービスするマクロ基地局６０４、マクロ・サービスエリアによって、少なくとも部分的に含まれるピコサービスエリアにサービスするピコ基地局６０６、及びＡＴ６０２を含む。ここに説明されているように、１以上の基地局６０４、６０６が（例えば、資源分割装置を介して）動的資源最適化を実行する。他の態様において、基地局６０６がピコ基地局以外にあるかもしれないことは言うまでもない。たとえば、基地局６０６はミクロ基地局、中継基地局、フェムト基地局又は他のマクロ基地局であり得る。少なくとも一つの態様において、基地局６０６はピコ及びフェムト基地局のグループ及び１以上の中継基地局のような、基地局のセットを表すことができる。
【００７２】
資源最適化を容易にするために、ＡＴ６０２が、１以上の基地局６０４、６０６により送信されるＤＬ信号を測定でき、解析のためにＤＬ測定値を提供できる。更に、ＡＴ  ６０２はインターフェース・モジュール６０８を介して個別の基地局間のメッセージを中継できる。後者の態様において、ＡＴ  ６０２は基地局６０４、６０６間のＤＬデータ交換のための中継として動作できる。
【００７３】
１つの特定の実施例として、ＡＴ  ６０２は、隣接マクロ基地局６０４のより大きなマクロセルの範囲内で、ピコ・アクセス・ポイント６０６によって、サービスされると仮定する。インターフェース・モジュール６０８は、サービス中基地局（６０６）から隣接基地局（６０４）へ又はその逆に無線メッセージを送ることができる。このような方法で、ＡＴ  ６０２は動的資源割当のために基地局（６０４、６０６）間でネットワーク・トポロジ又は無線性能データを共有することを容易にすることができる。したがって、１つの基地局（例えば６０４）により実行される資源割当は、隣接基地局（例えば６０６）により使用される資源に少なくとも部分的に基づくことができる。別の態様においては、ここに説明されているように、資源割当の変更又は撹乱は隣接基地局（６０４、６０６）に関連し、隣接基地局に影響するトポロジの変化、隣接基地局での無線状態の変化、隣接基地局での資源割当の変化、などを含むアクティビティに基づいてトリガできる。
【００７４】
以上のことに加えて、ＡＴ  ６０２は集中資源割当及び最適化を容易にすることができる。この場合、マクロ基地局６０４は、資源の初期セットをピコ・アクセス・ポイント６０６に割当て、ＡＴ  ６０２を介してこの割当ＯＴＡを送付する。ＡＴ  ６０２及びピコ・アクセス・ポイント６０６はここに説明されているように（それぞれ、ＤＬ及びＵＬ信号のために）性能メトリック計算を実行することができ、その後、ＡＴ  ６０２はマクロ基地局６０４にこれらの計算の結果を送付する。これらの計算を利用して、マクロ基地局６０４は、ピコ・アクセス・ポイント６０６のために、変更／最適化資源割当を行い、定常最適資源分割を維持するなどを行う。マクロ基地局６０４により行われる次の資源割当は、その後ＡＴ  ６０２を介してピコ・アクセス・ポイント６０６ＯＴＡへ送付される。この構成は、任意の適当な数のピコ・アクセス・ポイント６０６又は他のアクセス・ポイント（例えばミクロのアクセス・ポイント、フェムト・アクセス・ポイント又は隣接マクロ基地局）に対して実施できる。
【００７５】
上記に関して、変更／最適化資源割当はアクセス・ポイント６０６のタイプ又は分類に少なくとも部分的に基づいている。たとえば、変更／最適化資源割当を行うことは、ネットワークの干渉を緩和するように構成される効率プロトコルのセットに基づくことがありえる。プロトコルは、（例えば、特定のマクロ環境に対して設計され、異種アクセス・ポイント展開、などのために構成される）ネットワーク展開に対して一般的である、又は特別であるとすることができる。一つの実施例において、プロトコルはアクセス・ポイントの異なる分類に対して直交無線資源の異なるセットを確保することによって、構成できる。他の例では、プロトコルはさらに一般的にいえば資源配分規則をネットワーク・アクセス・ポイントの異なる分類に対して提供するように構成できる。より特定の実施例として、資源分割の選択は、ネットワーク・アクセス・ポイントをマクロ、ピコ、フェムト・アクセス・ポイントとして、中継基地局、等として分類することを含めることができる。分類すると、資源分割を選択することは、特定の資源がアクセス・ポイント・クラスに基づいて割り当てられなければならないかどうか決定するためにネットワーク効率プロトコルを参照することを更に含むことができる。
【００７６】
主題開示の少なくとも一つの態様によれば、ＡＴ  ６０２は更にシステム６００に対してＡＴベース資源最適化を提供するように構成されることができる。性能メトリック・データの利用可能性によって、資源最適化は、ＤＬ資源のため又はＵＬ及びＤＬ資源のためにあることができる。ＤＬに対して、ＡＴ  ６０２はサービス・ピコ・アクセス・ポイント６０６により送信される信号を解析し、そこから性能データ測定値を取得する（例えば、上記の図５で測定モジュール５１４を参照する）。このような測定値の結果は、データベース６１４内に記憶される（例えば、図４のネットワーク・ユーティリティ・モデル４０６に実質的に類似し得る）解析可能ネットワーク・ユーティリティ・モデル６１４Ａを作成するために採用される。ＵＬ性能メトリック・データが（例えば、サービスピコ・アクセス・ポイント６０６から又はマクロ基地局６０４から）得ることが可能である場合、ネットワーク・ユーティリティ・モデル６１４Ａは  ＤＬデータだけでなくＵＬ性能メトリック・データによって、更新できる。
【００７７】
一つ以上の他のモジュール（６１０、６１２）は、ユーティリティ・モデル６１４Ａを解析することができ、ＡＴ  ６０２とサービスアクセス・ポイント６０６間の通信のための資源の変更セットを生成できる。たとえば、決定モジュール６１０は、少なくともＡＴ  ６０２で受信したＤＬ信号伝達のためのネットワーク・ユーティリティ・モデル６１４Ａの性能評価を実行できる。利用できるならば、より豊富な解析のために、決定モデル６１０はＤＬ及びＵＬデータの両方に対してモデル６１４Ａを二者択一的に解析できる。選択モジュール６１２は、資源最適化のために（例えば、資源分割装置１０２、２０２、３００又は４００により実行されるように実質的に同様の形態で）変更又は攪乱資源を生成するために使用できる。このように、少なくとも一つの態様では、選択モジュール６１２は、性能評価に基づく装置のためのＤＬ資源の変更セットを生成し、ＤＬ資源を使用するためにサービス・アクセス・ポイント６０６に要求を出す。他の態様において、選択モジュール６１２は、ＵＬ及びＤＬ資源を含む変更資源セットを生成でき、ネットワーク承認のための変更セット提供できる。さらに他の態様において、選択モジュール６１２は、変更／最適化資源を選択するためネットワーク−提供規則６１４Ｂのセットを使用できる。後者の態様において、ネットワーク−承認は得る必要はなく、ＡＴ  ６０２は隣接基地局（６０６）に接続される資源分割モジュールと同様な方法で作用し、参考のためにネットワークに選択された資源の記録を提供するだけである。
【００７８】
ここに説明されているように、ＡＴ  ６０２は様々なタイプの資源最適化を実行できる。開ループ最適化のために、変更資源は、定期的に又は既存の性能データを利用している一つ以上の識別されたイベントに基づいて生成できる。閉ループ最適化のために、既存の性能メトリック・データはネットワーク・ユーティリティ・モデル６１４Ａを生成し、更新するために利用される。そして、これは次に変更又は最適化資源を生成するために利用される。
【００７９】
図７は、主題開示の態様のために構成される無線基地局７０２から成る実施例システム７００のブロック図を示す。一つの例として、システム７００は基地局７０２によって、サービスされるＡＴ（７０４）に対する動的資源分割のために構成される基地局７０２を含むことができる。他の例では、基地局７０２は集中化資源分割を基地局のセット又はアクセス・ポイント（図示せず）に提供するように構成される。少なくとも一つの実施例において、基地局７０２は性能メトリック・データのための一つ以上のＡＴ  ７０４により送信されるＵＬ信号を解析するように構成される。基地局７０２は、更に基地局７０２により送信されるＤＬ信号を解析するように任意にＡＴ  ７０４に命令できる。このような実施例において、基地局７０２は（例えば、異なる基地局に接続される、又はネットワーク・コンポーネントに接続される）集中化資源分割装置に、ＵＬ又はＤＬ信号若しくは両方の結果を送付できる。結果はネットワーク・コンポーネントとの優先接続を介して、他の基地局（７０２）との帰路ネットワークを介して、又はＡＴ７０４を介してＯＴＡに送ることができる。
【００８０】
基地局７０２（例えばアクセス・ポイント、ｃ）は、１以上の受信アンテナ７０６を介して１以上のＡＴ７０４から無線信号を取得する受信機７１０及び送信アンテナ７０８を介してＡＴ７０４に変調器７３０により提供される符号化／変調無線信号を送信する送信器７３２を含む８ことができる。受信機７１０は受信アンテナ７０６から情報を取得でき、更にＡＴ  ７０４により送信されるアップリンク・データを受信する信号受信部（図示せず）を含むことができる。更に、レシーバ７１０は受信情報を復調する復調器７１２と動作的に関連している。復調シンボルは、データプロセッサ７１４により解析される。データプロセッサ７１４は、基地局７０２により提供される又は実施される機能に関連する情報を記憶するメモリ７１６に接続される。一例を挙げると、記憶情報は、基地局７０２により使用される冗長な解析の結果として生成されるタイミング・データを含めることができる。データは、信号タイミング・エラーを識別し、訂正するために使用されることができる。以上のことに加えて、メモリ７１６は第２のタイミング解析を一つ以上のＡＴ  ７０４に送信するための規則又はプロトコル含めることができる。このような解析はＡＴ  ７０４で実行することができ、ここに説明されているように、基地局７０２で導入される初期解析タイミング解析と一体化するため基地局７０２に送り戻される結果となる。
【００８１】
上記に加えて、基地局７２０はさまざまな通信プロトコルに従って通信するように構成されるインターフェース・モジュール７１８を含むことができる。このようなプロトコルはイーサネット、デジタル加入者回線（ＤＳＬ）、同軸ケーブル、などを含む有線ネットワーク・プロトコルを含めることができる。少なくとも一つの態様において、インターフェース・モジュール７１８は一つ以上の他の基地局（図示せず）と有線帰路結合基地局７０２を介して通信するように構成できる。更に、インターフェース・モジュール７１８は、無線通信プロトコルのために、基地局７０２無線送受信チェーン（例えば、受信アンテナ７０６、受信機７１０、復調器７１２、変調器７３０、送信機７３２及び送信アンテナ７０８）を使用するように構成できる。このような方法で、インターフェース・モジュールはＯＴＡをＡＴ  ７０４と又は他の適切な無線装置と通信できる。少なくとも一つの態様において、インターフェース・モジュール７１８は１つ以上の他の基地局と無線帰航結合基地局７０２を介して通信できる。インターフェース・モジュール７１８は更に他の基地局、無線装置又はネットワーク構成コンポーネントから資源割当に関係するメッセージを送受信できる（例えば、復号化する）。このようなメッセージは、基地局７０２又はＡＴ  ７０４のための変更／交換資源割当を含むことができる。代わりに又は加えて、メッセージはここに説明されるように、変更／交換資源割当を確立するために利用される性能メトリック・データを含むことができる。
【００８２】
主題開示の更なる態様によれば、基地局７０２はインターフェース・モジュール７１８によって、得たネットワーク性能メトリック・データを集合する収集モジュールにより構成できる。集合性能メトリック・データは、（例えば、データベースを含めることができ又はデータベースに接続できる）メモリ７１６に保存でき、資源、資源のセット、ＤＬ又はＵＬ信号、送信機又は受信機、一時的交換、資源最適化繰り返し又はここに記載されている他の要因の関数として解析され、又は資源分割を最適化するために適している。攪乱モジュール７２２は、基地局７０２又はＡＴ  ７０４の資源割当に対する変更を行うため集合データを使用できる。変更は、このように（ＤＬ資源のための）データプロセッサ７１４によって、実行することができ、又は（ＵＬ資源のための）ＡＴ  ７０４に押し進めることができる。比較モジュール７２４は、稼働資源をよりよく識別するために、事前変更資源割当（例えば、最新バージョン又は従来のバージョンのセット）に関して、変更資源割当の性能メトリック・データを評価できる。
【００８３】
主題開示の特定の態様において、基地局７０２は動的ネットワーク性能状態のための最適資源割当を維持するために周期的にモジュールのセット（例えば、資源最適化のために使用されるモジュール７２０、７２２、７２４）を再実行するために使用できる定常モジュール７２６を含めることができる。定常モジュール７２６により使用される期間は、特定の基地局（７０２）に対してユニークであり、（例えば、マクロ・サービスエリアの範囲内で動作する）無線アクセス・ポイントのセットに同期でき、又は（例えば、少なくとも一つのアクセス・ポイントがセットの他のアクセス・ポイントから異なる期間で動的分割を再実行するように）無線アクセス・ポイントに非同期にできる。後者の場合、期間はランダムな又は疑似ランダム機能によって、生成できるか、無線アクセス・ポイントのセットに対して共通であり、又はセットのそれぞれのアクセス・ポイントで別に生成できる。主題開示の少なくとも一つの態様において、疑似ランダム機能は、期間を決定するために使用され、現在のネットワーク性能に基づいてランダムに生成された期間を遅延させるか又は短くするために重み付けされる。
【００８４】
主題開示の他の態様によれば、基地局７０２はイベント・モジュール７２８により構成できる。イベント・モジュール７２８は、イベントの発生に基づいて撹乱モジュール７２２の実行を初期化するように構成できる。主題開示の態様において、イベントは（例えば、インターフェース・モジュール７１８により検出されるか又はインターフェース・モジュール７１８で得られたメッセージにおいて、特定される）ネットワーク・トポロジの変化又は隣接セル、関連基地局７０２の資源分割の交換の一つ以上を含むことができる。他のイベントは、ＡＴ  ７０４によって、又は隣接セルによる資源交換要求、（例えば、収集モジュール７２０により提供される集合データから決定される）無線ネットワーク性能の低下等又はその適正な組み合わせを含むことができる。
【００８５】
図８は、主題開示の態様に従った無線通信のために構成されるＡＴ  ８０２を含む実施例システム８００のブロック図を表す。ＡＴ  ８０２は、無線ネットワークの一つ以上の基地局８０４（例えば、アクセス・ポイント）と無線で通信するように構成できる。このような構成に基づいて、ＡＴ  ８０２は順方向リンクチャネル上で基地局（８０４）からの無線信号を受信することができ、逆方向リンクチャネル上で無線信号に応答できる。更に、ここに説明されているように、ＡＴ  ８０２は、受信無線信号を解析するために、特に、受信無線信号などに関する性能メトリック・データを計算するためにメモリ８１４に保存される命令を含むことができる。少なくとも一つの態様において、ＡＴ  ８０２は性能メトリック・データ、又は基地局８０４から得られる同様なデータに基づいて資源最適化を容易にすることができるし又は実行できる。
【００８６】
ＡＴ  ８０２は、信号を受信する少なくとも一つのアンテナ８０６（例えば入出力インターフェースを含む無線送信／受信インターフェース又はそのようなインターフェースのグループ）及び受信信号に一般的な作用（例えばフィルタ、増幅器、ダウンコンバータ、など）を行う受信機８０８を含む。一般に、アンテナ８０６及び変調器８３０及び送信機８３２は基地局８０４に無線データを送るように構成できる。
【００８７】
アンテナ８０６及び受信機８０８は、また、受信シンボルを復調でき、評価のためにそのような信号をデータプロセッサ８１２に提供できる。データプロセッサ８１２はＡＴ  ８０２の一つ以上のコンポーネント（８０６、８０８、８１０、８１４、８１６、８１８、８２０、８２２、８２４、８２６、８２８、８３０、８３２）を制御することができ及び／又は参照できることは言うまでもない。更に、データプロセッサ８１２は、ＡＴ  ８０２の機能を実行することに関係する情報又は制御を含む一つ以上のモジュール、アプリケーション、エンジン、等（８１６、８１８、８２０、８２２、８２４、８２６、８２８）を実行できる。たとえば、このような機能は無線信号を受信し、復号化することこのような信号から資源割当を識別すること、ネットワーク性能統計値に対する受信信号を解析すること、性能統計地情報を基地局８０４に提供すること、基地局（８０４）間でのデータ共有のためにＯＴＡインターフェースを提供すること、そのような統計値、などに基づいて資源最適化を実行することを含めることができる。
【００８８】
更に、ＡＴ  ８０２のメモリ８１４は、データプロセッサ８１２に動作可能に接続される。メモリ８１４は、受信、送信されるデータなど、及び遠隔装置（８０４）と無線通信するのに適している命令を記憶できる。特に、命令は上述した、そうでなければここで説明した種々の機能を実施するために利用できる。更に、メモリ８１４はデータプロセッサ８１２により実行されるモジュール、アプリケーション、エンジン、など（８１６、８１８、８２０、８２２、８２４、８２６、８２８）を格納する。
【００８９】
主題開示の特定の態様によれば、ＡＴ  ８０２はサービス無線ネットワーク（８０４）によって、送られる無線資源割当の変化を識別するために受信無線メッセージを解析する資源モジュール８１６を含むことができる。少なくとも一つの開示された態様において、資源モジュール８１６は（例えば、基地局８０４によって、又は選択モジュール８２８によって、）動的に決定されるＵＬ資源のセットを装置及び無線ネットワークによって、サービスされる１以上の無線ＡＴのＵＬ性能メトリクスの評価から取得する。更に、構成モジュール８１８は、資源モジュール８１６により識別される交換に従ってＡＴ  ８０２の受信機（８０６、８０８、８３２）を調整できる。測定モジュール８２０は、変更無線資源にわたりＡＴ  ８０２のための性能データをサンプリングし、変更無線資源の性能評価を容易にするために進めることができる。性能データは待ち時間、経路損失、バッファサイズ、アンテナ利得、干渉又はＡＴにより受信されるＤＬ送信のためのスループット・メトリクスを含めることができる。あるいは、基地局８０４は待ち時間、経路損失、スループット、干渉又はこのような送信のアンテナ利得メトリックに少なくとも部分的にＡＴ  ８０２により送信されるＵＬ送信を受信し、解析できる。（ＵＬかＤＬどうかの）評価の結果がメモリ８１４に記憶でき、基地局８０４に又は両方に提供できる。更に、基地局８０４により送信される評価への応答は、交換を保存することができ、交換を反転でき、又は更に性能評価に基づいて資源割当を交換することができる。評価への応答は、また、ＵＬ又はＤＬ性能メトリクスに少なくとも部分的に基づいて又はＡＴ  ８０２のＵＬ及びＤアクティビティの両方に対する性能メトリック・データに基づくことができる。
【００９０】
上記に加えて、ＡＴ  ８０２は無線資源割当の交換のため無線ネットワークの送信を資源モジュールに定期的に解析させるタイミング・モジュール８２２を含むことができる。期間は、無線ネットワークによって、提供することができ、性能評価に基づいて固定又は変更される。後者の場合、送信を再解析するための期間は、肯定的性能評価のために長くすることができ、又は、１つの実施例として、標準性能表丘のために短くすることができる。
【００９１】
更なる態様によれば、ＡＴ  ８０２は基地局の中の無線メッセージを送付するインターフェース・モジュール８２４を含めることができる。たとえば、インターフェース・モジュール８２４はサービス中基地局（８０４）から、隣接基地局（図示せず）又はその逆に無線メッセージを送るために使用できる。このメッセージ転送装置は、動的資源割当のために基地局間でネットワーク・トポロジ又は無線性能データを共有することを容易にすることができる。特に、選択又は撹乱された資源は、隣接基地局と関連する性能メトリック・データに少なくとも部分的に基づくことができる。
【００９２】
更なる態様によれば、ＡＴ  ８０２はＡＴ８０２で受信される少なくともＤＬ信号伝達のための性能評価を実行する決定モジュール８２６を含めることができる。性能評価の結果は、メモリ８１４に保存することができ、資源ごとに、資源のセットごとに、ＡＴ（８０２）ごとに、資源割当ごとに、最適化繰り返しごとに、などに解析できる。更に、ＡＴ  ８０２は性能評価に基づいてＡＴ  ８０２（及び任意にＵＬ資源）に対してＤＬ資源の変更セットを生成する選択モジュール８２８を含めることができる。ＤＬ資源の変更セットは、サービス中基地局８０２にＤＬ資源を使用するために要求において、提供される。要求が許されれば、ＡＴ８０２は要求ＵＬ又はＤＬ資源に再調整できる。
【００９３】
上述したシステムは、いくつかのコンポーネント、モジュール及び／又は通信インターフェース間の相互作用に関して説明されていた。このようなシステム及びコンポーネント／モジュール／インターフェースがここに特定されるこれらのコンポーネント／モジュール又はサブモジュール、特定コンポーネント／モジュール又はサブモジュールの幾つか、及び／又は追加モジュールを含めることができることは言うまでもない。例えば、システムはＡＴ  ８０２、また、基地局７０２及び資源分割装置１０２又はこれらの異なる組み合わせ若しくは他のモジュールを含めることができる。サブモジュールは、また、親モジュール内に含まれるよりもむしろ他のモジュールに通信可能に接続されるモジュールとして実施できる。更に、一つ以上のモジュールが集合機能性を提供している単一のモジュールに結合できる点に留意する必要がある。たとえば、決定モジュール８２６はＤＬ資源の性能評価及び単一コンポーネントによって、評価に少なくとも部分的に基づいて資源の変更セットを生成することを容易にするために、選択モジュール８２８又はその逆も含むことができる。コンポーネントは、また、特にここに説明されていないが当業者によって、知られている一つ以上の他のコンポーネントと相互に作用できる。
【００９４】
更に、言うまでもないように、上述のシステムの種々の部分及び下記の方法は人工知能又は知識若しくはルールに基づくコンポーネント、サブコンポーネント、プロセス、手段、手順又は機構を含み又は構成できる（例えば、ベクトルマシーン、ニューラルネットワーク、エキスパート・システム、ベイジアン思考ネットワーク、ファジー論理、データ融合エンジン、分類をサポートする）。このようなコンポーネント、なかでも、そして、ここですでに説明したものに加えて、システム及び方法の部分を効率的及び知的だけでなくより適応可能にするためにそれにより実行される機構又は処理を自動化できる。
【００９５】
以前に説明した典型的なシステムを鑑みて、開示された要旨に従って実行できる手順は、図９−１２のフローチャートを参照してよりよく理解される。説明の簡単化のために、手順が一連のブロックとして示され、説明されるので、請求項の要旨は幾つかのブロックはここに示され、説明されるものから他のブロックと異なる順序及び／又は同時に起こることができるようにブロックの順序に限定されないことは理解され、認識される。更に、全ての図示のブロックは以下に説明した手順を実行するために必要でない。更に、以下に及びこの明細書の全体にわたって開示されている手順はそのような手順をコンピュータに配送及び転送するのを容易にするため製品に格納できることは言うまでもない。使用されるように、用語製品はいかなるコンピュータ可読装置、キャリアと連動する装置又は記憶媒体からアクセスできるコンピュータプログラムを含むことを意図している。
【００９６】
図９は、主題開示の特定の態様に従って無線資源最適化のための実施例手順９００のフローチャートを示す。９０２で、方法９００は無線ネットワーク・アクセス・ポイントのための負荷情報を得るために通信インターフェースを使用できる。負荷情報は、アクセス端末の一つ以上に関連する無線性能メトリック・データだけでなく、所定時間に無線ネットワーク・アクセス・ポイントによって、サービスされる多くのアクセス端末に関連できる。９０４で、方法９００は少なくともアクセス・ポイント負荷及び資源要求に基づいて、負荷情報によって、ネットワーク・ユーティリティ・モデルを更新するためにデータプロセッサを使用できる。主題開示の特定の態様によれば、ネットワーク・ユーティリティ・モデルは、割当てと関連する性能メトリクスだけでなく、アクセス・ポイントによって、サービスされる既存のアクセス端末、それぞれの端末の資源要求、それぞれの端末の資源割当の関数として分割されるデータを含めることができる。少なくとも一つの態様において、ネットワーク・ユーティリティ・モデルは更に、それぞれの性能メトリクスをそれぞれの資源割当繰り返しに関連するそのようなデータの歴史的な編集に基づくことがありえる。９０６で、方法９００は資源要求変数を変化させること及び最適化パラメータと関連するネットワーク・アクセス・ポイントのために変更資源割当を取得することによって、更新モデルのネットワーク・ユーティリティ・パラメータ（例えばスループット、待ち時間、など）を最適化するためにデータプロセッサを使用することを含めることができる。最適化は、所定のネットワーク・トポロジ又はアクセス・ポイント負荷のため定常最適化を達成するために、ここで説明したように、定期的に、又は一つ以上のイベントの検出に応答して再初期化できる。
【００９７】
図１０は、主題開示の特定の態様に従って定常資源最適化を提供するための実施例手順１０００のフローチャートを示す。１００２で、方法１０００はここに説明されているように、一つ以上の無線ネットワーク・アクセス・ポイント及び関連するアクセス端末のためのネットワーク及び性能データを取得することを含めることができる。更に、１００４で、方法１０００は資源ごとに又は資源のセットごとに性能データを解析することを含めることができる。１００６で、方法１０００はネットワーク資源割当を撹乱することを含めることができる。１００８で、方法１０００は撹乱割り当てをアクセス・ポイント及びアクセス端末間で分配できる。１０１０で、方法１０００は撹乱資源割当のための性能データを得ることができる。１０１２で、方法１０００は事前撹乱と事後撹乱性能データを比較できる。比較は、ネットワーク・ユーティリティ・モデルを使用することによって、なし得る。たとえば、方法はネットワーク・ユーティリティ・モデルへの入力を撹乱資源割当のための性能データで更新することができ、ネットワーク・ユーティリティ・モデルに対する変化を更新入力と比較する及び更新入力なくて比較できる。
【００９８】
１０１４で、決定は、比較に基づいて、撹乱が性能改良の結果となるかどうかに関してなされる。主題開示の一態様において、決定が撹乱及び事前撹乱性能メトリクスの比較に基づいて、ネットワーク・ユーティリティ・パラメータを改良する確率を算出することに基づいていることがありえる。方法は、更に決定のための確率閾値のセットに関係する確率を使用することを含めることができる。改良が達成される場合、方法１０００は１０１８へ進むことができ、さもなければ、方法１０００は１０１６へ進む。
【００９９】
１０１６で、方法１０００はアクセス・ポイント又はアクセス端末のための事前撹乱資源構成に再初期化でき又は戻ることができる。そこでは改良は参照番号１０１４で検出されない。あるいは、１０１８で、改良が検出される場合、方法１０００は撹乱資源構成を維持できる。１つの特定の実施例において、方法１０００は撹乱資源分割に戻る、維持する又は更に撹乱するオプションの間で選択するために確率モデルを使用できる。確率的モデルは、（例えば、１つに纏める全てのオプションの確率によって、）最高確率を、最高予想ユーティリティを有するオプションに割当てることができる。更に、確率的モデルは１つのオプションが選ばれるという可能性がそのオプション割当て確率に比例するように構成できる。実施例の一態様において、方法１０００は撹乱ユーティリティ・パラメータが事前撹乱ユーティリティ・パラメータ＋閾値量より良い場合、ネットワーク・ユーティリティが撹乱資源分割を更に撹乱することによって、最適化されることを推測することを更に含むことができる。同様に、方法１０００は撹乱ユーティリティ・パラメータが事前撹乱ユーティリティ・パラメータの閾値レベルの範囲内である場合、ネットワーク・ユーティリティが撹乱分割を保持することによって、最適化されることを推測できる。更なるオプションとして、方法１０００は撹乱ユーティリティ・パラメータが事前撹乱ユーティリティ・パラメータ＋閾値量より悪い場合、ネットワーク・ユーティリティが事前撹乱分割に戻ることによって、最適化されると推測できる。
【０１００】
１０２０で、方法１０００はイベント・フラグ又はタイマフラグを設定できる。１０２２で、タイマ又はイベント検出ループは初期化される。それ故に、１０２４で、方法１０００はタイマ／イベント・フラグが偽であれば、参照番号１０２２に戻り、又はタイマ／イベント・フラグが真であれば、参照番号１００２に戻る。したがって、適切なイベントが一度検出される、又は、タイマフラグが期限切れになれば、方法１０００は、上記の通りに、無線ネットワーク・アクセス・ポイント又はアクセス端末のための資源割当を更に撹乱するために再実行できる。
【０１０１】
図１１は、主題開示の一つ以上の態様に従って改良された無線ネットワーク資源分割を容易にするための実施例手順１１００のフローチャートを示す。１１０２で、方法１１００は無線ネットワークによって、ＡＴに割り当てられる無線資源に変更を加えるためにワイヤレス受信機を使用できる。１１０４で、方法１１００は変更無線資源割当のための性能データをサンプリングするためにデータプロセッサを使用できる。更に、１１０６で、方法１１００はサンプリングされた性能データを無線ネットワークの基地局に提供するために無線送信機を使用できる。基地局は、ＡＴにサービスしている基地局でありえるか又はサービスしているセル又は隣接セル内の非サービス基地局でありうる。更に、提供に対する応答はサンプリングされた性能データに少なくとも部分的に基づいて、事前変更無線資源割当にＡＴを戻すことができ、又は変更割当を維持できる。したがって、方法１１００はそれぞれの割当てのため性能データを比較することによって、改良資源割当をＡＴに提供できる。
【０１０２】
図１２は、無線通信において、最適化資源配分を容易にするためのサンプリング手順１２００のフローチャートを示す。１２０２で、方法１２００は、ＡＴに対する更新資源割当を受信できる。１２０４で、方法１２００は更新資源又は資源のセットごとに性能データを追跡できる。性能データはスループット、待ち時間、干渉、ＳＮＲ、アンテナ利得、等又はその組み合わせを含む、一つ以上の測定可能基準から決定できる。
【０１０３】
上記に加えて、１２０６では、参照番号１２０４での追跡性能が閾値性能レベル未満であれば、方法１２００はサービス中基地局から更新資源割当を任意に要求できる。１２０８で、方法１２００はサービス中基地局の識別子（ＩＤ）を得ることができる。１２１０で、方法は更新資源割当により提供されるＵＬ資源上で、近接基地局にＩＤ及び性能データを同報できる。更に、１２１２で、方法１２００は次の資源割当を特定している同報に対する応答を受信できる。１２１４で、方法１２００は必要なら（例えば、次の資源割り当てが参照番号１２０２で得られた更新資源割当と異なれば）、次の資源割当の特定資源にＡＴを戻すことができる。さらに、１２１６で、方法１２００は定期的な資源割当更新を受信できる、又は資源割当更新の１つ以上を資源更新要求に対する応答として任意に受信できる。方法１２００はそれぞれの資源割当に対する性能メトリック・データに基づいて資源の定常最適化を達成することによって、更新割り当てのために性能メトリック・データを追跡するために参照番号１２０４に戻すことができる。
【０１０４】
図１３は、主題開示の特定の態様に従って無線ネットワーク資源分割を最適化するための実施例手順のフローチャートを示す。１３０２で、方法１３００は無線リンクのセットに対する既存の資源分割を得るため通信インターフェースを使用できる。通信インターフェースは、有線又は無線インターフェースでありえる。たとえば、インターフェースは既存の資源分割がＡＴから少なくとも部分的に無線で得られるセルラインターフェースでありえる。他の態様において、インターフェースは既存の資源分割が隣接ネットワーク・アクセス・ポイントから（例えば、マクロ基地局から又はマクロ・サービスエリアの範囲内のピコ基地局から）得られる有線又は無線帰路インターフェースでありえる。さらに他の態様において、インターフェースはセルラネットワーク・コンポーネントをセルラ基地局に接続する有線ネットワーク・インターフェース（例えば、イーサネット、同軸ケーブル、ＲＳ−２３２、など）でありえる。有線ネットワークを介してセルラ基地局が既存の資源分割を提供する。少なくとも一つの態様において、通信インターフェースは既存の資源分割を格納しているメモリに接続される物理バスでありえる。そして、分割は物理バスを介してメモリから得ることができる。これまでに他の態様において、既存の資源分割は、参照番号１３０２で最初の事例で発生できる。
【０１０５】
上記に加えて、少なくとも一つの態様において、方法１３００はＵＬ及びＤＬ資源分割のために別々に資源分割を導入することを更に含む。このような場合、ＵＬ又はＤＬ分割は、参照番号１３０２で、アクセス・ポイント受信機又はＡＴ受信機によって、それぞれ報告される無線状態に基づくことがありえる。しかし、他の態様で、方法１３００は共通にＵＬ及びＤＬ資源分割を行うことを更に含むことができる。後者の態様において、性能メトリックは、ＵＬ及びＤＬ  ＲＦ性能メトリクス（例えば、ＵＬデータ信号レート及びＤＬデータ信号レートの重み付け平均）の集合である。
【０１０６】
１３０４で、方法１３００は無線リンクのサブセットのための既存の資源分割を撹乱し、撹乱をリンクのサブセットをサポートする一つ以上のアクセス・ポイントに押し付けるためにデータプロセッサを使用できる。態様によっては、資源分割の撹乱をトリガすることは、ネットワーク・トポロジでの検出変化又は無線ネットワークの隣接セルの資源分割の変化に基づくことがありえる。特に、ネットワーク・トポロジの変化は、（例えば、合計トラフィック負荷、又はアクセス・ポイントによって、サービスされるＡＴの合計数を含む）無線リンクに対するトラフィック負荷の変化、又は（例えば、新規なリンクをローミングし、確立するＡＴ，リンクを終了するＡＴハンドオーバ及び新規リンクを開始する、などを含む）無線リンクの数の変化を含めることができる。ネットワーク・トポロジが資源分割の撹乱をトリガさせる場合、方法はハンドオーバ命令をアクセス・ポイントの少なくとも一つに押し進めることができる少なくとも一つの撹乱メッセージと結合することを更に含めることができる。
【０１０７】
一つ以上の追加の態様では、ネットワーク資源の撹乱をトリガすることは、無線リンクのセットのために定期的に実行できる。定期的なトリガのために、方法は無線リンクのセットのための固定期間を採用することを更に含み、又はそれぞれのリンク又はそれぞれのアクセス・ポイントに対して別々の期間を使用できる。たとえば、非同期期間は使用できる。そこにおいて、方法は異なるアクセス・ポイント又は異なる無線リンクのための異なる撹乱トリガ期間を確立する。別の例として、方法は無線リンクのセットのための期間をトリガする共通の撹乱を確立する場合に、使用できる。いずれにせよ、方法はリンクのセット、それぞれのリンク又はそれぞれのアクセス・ポイントの性能メトリクスに基づいて別々の期間の固定期間をオフセットすることを任意に含めることができる。オフセットは、良好な性能メトリクスの期間を長くすること、又は不良性能メトリクス、又はその適正な組み合わせに対する期間を短くすることを含めることができる。
【０１０８】
１３０６で、方法１３００は撹乱資源分割を表すそれぞれのアクセス・ポイントから性能メトリクスを得るため通信インターフェースを使用することを含めることができる。性能メトリクスはここで説明されている又は従来知られているネットワーク効率、品質又は効果の任意の測定値を含めることができる。上記のように、性能メトリクスはＵＬメトリクス、ＤＬメトリクス、又はその組合せでありえる。更に、性能メトリクスは無線リンクのセットと関連する各アクセス・ポイントによって、報告することができ、共通ネットワーク・アクセス・ポイント（例えば、マクロ基地局）によって、中継することができ、１以上のアクセス・ポイント及びＡＴによって、報告できる。１３０８で、方法１３００は性能メトリクスを事前撹乱ネットワークメトリクスと比較するためのデータプロセッサを使用できる。更に、１３１０で、方法１３００は撹乱分割を保持するため、分割を更に撹乱するため、又は性能メトリック比較に基づいて事前撹乱資源分割に戻るために選択するデータプロセッサを使用できる。
【０１０９】
図１４、１５及び１６は、主題開示の態様に従って無線通信での改良されたタイミング解析をそれぞれ実施及び容易にするための実施例システム１４００、１５００、１６００を示す。例えば、システム１４００、１５００及び１６００は無線通信ネットワークの範囲内で及び／又は送信機（例えばノード、基地局、アクセス・ポイント、ユーザ端末、移動インターフェースカードに接続するパソコン、等）の範囲内で少なくとも部分的に留めることができる。システム１４００、１５００及び１６００がプロセッサ、ソフトウェア、又はその組み合わせ（例えば、ファームウェア）により実行される機能を表す機能ブロックでありえる機能ブロックを含むとしてあらわされることは言うまでもない。
【０１１０】
システム１４００は、無線ネットワーク・アクセス・ポイントのための負荷情報を得るために通信インターフェースを使用するためのモジュール１４０２を含むことができる。更に、システム１４００はアクセス・ポイント負荷及び資源要求に少なくとも基づいて、負荷情報によって、ネットワーク・ユーティリティ・モデルを更新するためにデータプロセッサを使用するためのモジュール１４０４を含めることができる。上記に加えて、システム１４００はまた、資源要求変数を変化させることによって、更新モデルのネットワーク・ユーティリティ・パラメータを最適化するためにデータプロセッサを使用するためのモジュール１４０６を含むことができる。更に、モジュール１４０６は最適化パラメータと関連しているネットワーク・アクセス・ポイントに対する変更資源割当を得ることができる。変更資源割当は、アクセス・ポイントのために実行することができ、関連する性能を決定するために試験できる。性能が変更資源割当に従って改善される場合、このような割り当てはデフォルト期間の間、又は所定イベントが資源割当を更新するために検出されるまで、少なくとも維持できる。性能が変更資源割当により向上されない場合、モジュール１４０６はシステム１４００にデフォルト期間（又は所定のイベントが検出されるまで）先の資源割当に戻させる。
【０１１１】
システム１５００は、無線ネットワークによって、ＡＴに割り当てられる無線資源に変更をするために無線受信機を使用するためのモジュール１５０２を含むことができる。さらに、システム１５００は変更資源割当のための性能データをサンプリングするためにデータプロセッサを使用するためのモジュール１５０４を含むことができる。一旦性能データの適切なサンプルが得られると、システム１５００はサンプリングされた性能データを無線ネットワークの基地局に提供するために無線送信機を使用するためにモジュール１５０６を初期化する。提供に応答して、モジュール１５０２は提供に対する応答を得るために無線受信機を使用でき、応答はシステムにＡＴを事前変更無線資源割当に戻させる、又はサンプリングされた性能データに少なくとも部分的に基づいて、変更資源割当を維持させることを命令する。
【０１１２】
システム１６００は主題開示の特定の態様に従って最適化無線資源分割を容易にすることができる。システム１６００は、無線リンクのセットのための既存の資源分割を得るために通信インターフェースを使用するためのモジュール１６０２を含むことができる。資源分割は、セットのそれぞれの無線リンクに対して、周波数帯域、時間サブスロット、ＯＦＤＭシンボル、アンテナ利得、又は符号分布係数、など、を含む、無線資源割当を説明できる。各個別の無線リンクは、（例えば、中継器、リピータを含む）他の設備が可能であるけれども、一般的にはＡＴに無線で接続されるネットワーク・アクセス・ポイントを含む。更に、システム１６００は無線リンクのサブセットのための既存の資源分割を撹乱し、撹乱をリンクのサブセットをサポートしている一つ以上のアクセス・ポイントに対して押し付けるためデータプロセッサを使用するためのモジュールを含めることができる。
【０１１３】
更に、システム１６００は撹乱資源分割を示すそれぞれのアクセス・ポイントから、性能メトリクスを得るための通信インターフェースを使用するためのモジュール１６０６を含めることができる。性能メトリクスは、ここに説明されているように、無線効率、品質又は信頼性のいかなる適切な測定値を含めることができ、ＵＬ又はＤＬ信号ごとに、資源又は資源のセットごとに、アクセス・ポイント又はアクセス・ポイントのセットごとに、ＡＴ又はＡＴのセットごとに、などごとに更に解析できる。少なくとも一つの態様において、性能メトリクスのサブセットは、受信機（例えば、アクセス・ポイント・受信機又はＡＴ受信機）で観察される無線状態に基づいて、予測チャネル・メトリックを含めることができる。
【０１１４】
以上のことに加えて、システム１６００は性能メトリクスを予め撹乱したネットワーク韻律学と比較するためのデータプロセッサを使用するためのモジュール１６０８を含むことができる。比較はネットワーク・ユーティリティ・モデルへの入力を更新すること、ネットワーク・ユーティリティ・パラメータ値に関する更新入力の効果を決定することを含めることができる。システム１６００は、撹乱分割を維持すること、分割を更に撹乱すること、又は性能メトリック比較に基づいて事前撹乱分割に戻ることを選択するためデータプロセッサを使用するためのモジュール１６１０を更に含めることができる。１つの特定の実施例として、維持すること、更に撹乱すること又は事前撹乱分割に戻ることを選択することは確率的関数に基づくことができる。たとえば、維持すること、戻ること又は分割を更に撹乱することの各々に確率を割当てる一つの可能な確率的関数が使用できる。割当確率は、予測ネットワーク・ユーティリティに関して、上で、ネットワーク・ユーティリティ・パラメータへの撹乱の決定効果に基づくことがありえる。たとえば、ネットワーク・ユーティリティ・パラメータの値が撹乱資源分割の結果として、閾値量により改良されれば、最高のユーティリティが推定できる。ネットワーク・ユーティリティ・パラメータの値が改善されるか又は撹乱資源分割の結果として、閾値量未満だけ悪化されれば、適度なユーティリティが推定できる。ネットワーク・ユーティリティ・パラメータの値が撹乱資源分割の結果としての閾値量未満だけ悪化する場合、不良ユーティリティが推定されることになる。
【０１１５】
更に、確率的関数は、資源分割を、それぞれ、戻す、維持する又は更に撹乱することを不良で、適度なかつ最高のネットワーク・ユーティリティに関連させることができる。具体例として、モジュール１６１０は最高のユーティリティの推定を、資源分割を更に撹乱する作用に関連付けることができ（さらなる撹乱はユーティユーティリティを更に改善できると仮定する）、適度なユーティリティの推定を、撹乱分割を保存するオプションに関連付けることができ、不良ユーティリティの推定を事前撹乱分割に関連付けることができる。その後、各作用はネットワーク・ユーティリティに対する効果に従い、機能によって、選択の確率を割り当てられる。選択の確率は、単一に要約し、最高の推定ユーティリティ、適度な推定ユーティリティ及び不良推定ユーティリティにそれぞれ関連する作用（例えば、最高の推定ユーティリティに対応する作用の選択の０．６確率、適度な推定ユーティリティに対応する作用の選択の０．３確率、不良推定ユーティリティに対応する作用の選択の０．１確率）に対して量的に減少できる。このように、ネットワーク・ユーティリティに対する効果が適度なユーティリティ、などにとなると推定されれば、最高確率は撹乱を維持する作用に割り当てられる。このような方法で、モジュール１６１０はネットワーク・ユーティリティを改良するためにたぶん分割資源を選択できるが、他の分割作用を探査する機会を組み込む非固定確率を利用する。
【０１１６】
図１７は、ここに開示される幾つかの態様に従って無線連通を容易にすることができる実施例システム１７００のブロック図を示す。ダウンリンクにおいて、アクセス・ポイント１７０５では、送信（ＴＸ）データプロセッサ１７１０がトラフィックデータを受信し、フォーマット化し、符号化し、インターリーブし、変調（又はシンボルマップ）し、変調シンボル（データ・シンボル）を提供する。シンボル・モジュレータ１７１７は、データ・シンボル及びパイロット・シンボルを受信し、処理し、シンボルのストリームを提供する。シンボル・モジュレータ１７２０は、データ及びパイロット・シンボルを多重化し、送信機装置（ＴＭＴＲ）１７２０にそれらを提供する。各送信シンボルは、データ・シンボル、パイロット・シンボル又はゼロの信号値でありえる。パイロット・シンボルは、各シンボル期間において、連続的に送ることができる。パイロット・シンボルは、周波数分割多重化（ＦＤＭ）、直行周波数分割多重化（ＯＦＤＭ）、時分割多重化（ＴＤＭ）、符号分割多重化（ＣＤＭ）でき、又はその適正な組み合わせ若しくは同じ変調及び／又は送信技術の適切な組み合わせでできる。
【０１１７】
ＴＭＴＲ  １７２０は、シンボルのストリームを受信し、それを１以上のアナログ信号に変換し、更にアナログ信号を調整して（例えば、増幅して、フィルタをかけて、周波数アップコンバートして）無線チャネルを介して送信に適するダウンリンク信号を生成する。その後、ダウンリンク信号は、端末にアンテナ１７２５を介して送信される。端末１７３０で、アンテナ１７３５はダウンリンク信号を受信し、受信ユニット（ＲＣＶＲ）１７４０に受信信号を提供する。受信ユニット１７４０は受信信号を調整し（例えば、フィルタをかけ、増幅し、周波数ダウンコンバートし）、サンプルを得るため調整信号をデジタル化する。シンボル復調器１７４５は更にプロセッサ１７５０からのダウンリンクのための周波数レスポンス推定を受信し、（送信データ・シンボルの推定である）データ・シンボル推定を得るため受信データ・シンボルにデータ復調を行い、データ・シンボル推定を、復調（即ち、シンボルマップ）するＲＸデータプロセッサ１７５５に提供し、データ・シンボル推定を逆インターリーブし、符号化して送信トラフィックデータを回復する。シンボル復調器１７４５及びＲＸデータプロセッサ１７５５による処理は、アクセス・ポイント１７０５でシンボル・モジュレータ１７１７及びＴＸデータプロセッサ１７１０による処理に対して相補的である。
【０１１８】
アップリンクに、ＴＸデータプロセッサ１７６０は、トラフィックデータを処理して、データ・シンボルを提供する。シンボル・モジュレータ１７６５は、データ・シンボルを受信して、パイロット・シンボルと多重化し、変調を行い、シンボルのストリームを提供する。その後、送信ユニット１７７０はシンボルのストリームを受信し、処理し、アップリンク信号を生成する。これはアンテナ１７３５によって、アクセス・ポイント１７０５に送信される。特に、ここに説明されているように、アップリンク信号はＳＣ−ＦＤＭＡ要求に従うことができ、周波数ホッピングメカニズムを含むことができる。
【０１１９】
アクセス・ポイント１７０５で、端末１７３０からのアップリンク信号は、アンテナ１７２５により受信され、サンプルを得るために受信ユニット１７７５により処理される。その後、シンボル復調器１７８０はサンプルを処理して、受信パイロット・シンボル及びアップリンクのためのデータ・シンボル推定を提供する。ＲＸデータプロセッサ１７８５は、端末１７３０により送信されるトラフィックデータを回復するためにデータ・シンボル推定を処理する。プロセッサ１７９０は、アップリンクに送信している動作中端末ごとにチャネル推定を実行する。多数の端末はパイロット・サブバンドのそれらの個々の割り当てセットのアップリンクに同時にパイロットを送信できる。パイロットサブバンドセットはインターレースできる。
【０１２０】
プロセッサ１７９０及び１７５０はアクセス・ポイント１７０５及び端末１７３０での動作を指揮する（例えば、制御する、調整する、管理する、など）。それぞれのプロセッサ１７９０及び１７５０は、プログラムコード及びデータを格納するメモリ装置（図示せず）と関連付けることができる。プロセッサ１７９０及び１７５０はまた、アップリンク及びダウンリンクに対する周波数及びインパルス応答推定をそれぞれ取得するため計算を行うことができる。
【０１２１】
マルチアクセス・システム（例えばＳＣ−ＦＤＭＡ、ＦＤＭＡ、ＯＦＤＭＡ、ＣＤＭＡ、ＴＤＭＡ、など）に対して、多数の端末は、アップリンク上に同時に送信できる。このようなシステムに対して、パイロット・サブバンドは、異なる端末間で共有できる。チャネル推定技術は各端末のためのパイロット・サブバンドが（おそらくバンド端を除く）全ての動作バンドにわたる場合に使用できる。このようなパイロットサブバンド構造は、端末ごとに周波数ダイバーシティを得るために望ましい。ここに説明されている技術は、種々の手段によって、実施できる。例えば、これらの技術は、ハードウェア、ソフトウェア又はその組合せにおいて、実施できる。デジタル、アナログ又はデジタル及びアナログの両方でできるハードウェア実施のために、チャネル推定に使用される処理ユニットは、一つ以上の特定用途向け集積回路（ＡＳＩＣ）、デジタル信号プロセッサ（ＤＳＰ）、デジタル信号処理装置（ＤＳＰＤｓ）、プログラム可能な論理装置（ＰＬＤ）、フィールドプログラマブルゲートアレイ（ＦＰＧＡｓ）、プロセッサ、コントローラ、マイクロコントローラ、マイクロプロセッサ、ここに記載されている機能を実行するように設計された他の電子装置又はそれの組合せの範囲内で実行できる。ソフトウェアについては、ここに記載されている機能を実行するモジュール（例えば、手順、機能、など）によって、実施できる。ソフトウェア・コードは、メモリ装置に格納することができ、プロセッサ１７９０及び１７５０によって、実行できる。
【０１２２】
図１８は一つ以上の態様と関連して利用できるように、多数の基地局（ＢＳｓ）１８１０（例えば、無線アクセス・ポイント、ワイヤレス通信装置）及び多数の端末１８２０（例えばＡＴ）を有する無線通信システム１８００を示す。ＢＳ（１８１０）は、一般に端末と通信し、また、アクセス・ポイント、ノード  Ｂ又は他の幾つかの技術とも呼ばれている固定局である。各ＢＳ  １８１０は図１８、符号１８０２ａ、１８０２ｂ及び１８０２ｃで示される、特定の地理的エリア又はサービスエリアに対して通信可能範囲を提供する。用語「セル」はＢＳ又は、用語が使用されるコンテキストに依存するそのサービスエリアを参照できる。システム能力を向上させるために、ＢＳ地理的エリア／サービスエリアは、多数のより小さいエリア（例えば、図１８のセル１８０２ａによれば、３つのより小さいエリア）、１８０４ａ、１８０４ｂ及び１８０４ｃに分割できる。各々のより小さいエリア（１８０４ａ、１８０４ｂ、１８０４ｃ）は、それぞれの基地トランシーバ・サブシステム（ＢＴＳ）によって、サービスすることができる。用語「セクタ」はＢＴＳ又は用語が使用されるコンテキストに依存するそのサービスエリアを参照できる。セクタ化セルのために、そのセルの全てのセクタのためのＢＴＳｓは、セルのための基地局の中に一般的に同じ位置に配置される。ここに記載されている送信技術は、非セクタ化セルを備えるシステムだけでなくセクタ化セルを備えるシステムのために使用できる。説明を簡単にするため、主な説明において、別に特定しなければ、用語「基地局」はセルにサービスする固定局だけでなくセクタにサービスする固定局に一般的に使用される。
【０１２３】
端末１８２０は一般的にシステムの全体にわたって分散され、各端末１８２０は固定又は移動可能である。端末１８２０は、また、移動局、ユーザ設備、ユーザ装置、無線通信装置、アクセス端末、ユーザ端末又は他のいくらかの用語で呼ぶことができる。端末１８２０は、無線デバイス、携帯電話、パーソナル携帯情報機器（ＰＤＡ）、ワイヤレス・モデム・カード、などでできる。各端末１８２０は、いつなんどきでもダウンリンク（例えばＦＬ）及びアップリンク（例えばＲＬ）上でゼロ、１又は多数のＢＳｓ  １８１０と通信できる。ダウンリンクは基地局から端末への通信リンクを言い、アップリンクは端末から基地局への通信リンクを言う。
【０１２４】
集中化アーチテクチャのために、システムコントローラ１８３０は基地局１８１０に接続され、ＢＳｓ  １８１０に対して調整及び制御を行う。配布されたアーキテクチャのために、ＢＳｓ  １８１０は必要に応じて（例えば、ＢＳｓ  １８１０を通信可能に接続している有線又は無線帰路ネットワークによって、）互いに通信できる。順方向リンクのデータ送信は順方向リンク又は通信システムによって、サポートできる最大データレートで又は近似で一つのアクセス・ポイントから一つのアクセス端末にしばしば生じる。順方向リンクの追加のチャネル（例えば制御チャンネル）は、多数のアクセス・ポイントから１つのアクセス端末へ送信できる。逆方向リンクデータ通信は、１つのアクセス端末から一つ以上のアクセス・ポイントへ生じることができる。
【０１２５】
図１９は、種々の態様によれば、計画的又は半計画的な無線通信環境１９００の実例である。システム１９００は、無線通信信号を互いに及び／又は１以上の移動装置１９０４に対して受信し、送信し、繰り返し、などを行う１以上のセル及び／又はセクタにおける１以上のＢＳ１９０２で構成できる。図示するように、各ＢＳ  １９０２は４つの地理的エリア１９０６ａ、１９０６ｂ、１９０６ｃ及び１９０６ｄとして示される、特定の地理的エリアに対して通信範囲を提供できる。各ＢＳ  １９０２は、送信機チェーン及び受信機チェーンにより構成できる。その各々は当業者により理解されるように、信号送信及び受信に関連する複数のコンポーネント（例えば、プロセッサ、変調器、マルチプレクサ、復調器、デマルチプレクサ、アンテナ、など（図７を参照）により構成できる。モバイル装置１９０４は、例えば、携帯電話、多機能電話、ラップトップ、携帯通信装置、携帯コンピュータ、衛星ラジオ、地球測位システム、ＰＤＡ又は無線通信環境１９００を介して通信する他のいかなる適切な装置でもありえる。システム１９００はここに説明されるように、無線通信での改良資源管理を容易にするためにここに記載されている種々の態様と関連して使用できる。
【０１２６】
主題開示に用いられるように、用語「コンポーネント」、「システム」、「モジュール」などは、コンピュータ関連エンティティ、ハードウェアも、ソフトウェア、実行のソフトウェア、ファームウェア、ミドルウェア、マイクロコード及び／又はそれのいかなる組合せのいずれかを参照することを意図している。例えば、モジュールは限定されないが、プロセッサで実行する処理、プロセッサ、オブジェクト、実行ファイル、実行のスレッド、プログラム、装置及び／又はコンピュータでできる。一つ以上のモジュールは処理又は実行のスレッドの内に収納でき、モジュールは１つの電子装置に局在できるか又は２つ以上の電子装置の間で配信できる。更に、これらのモジュールは、そこに格納される種々のデータ構造を有する種々のコンピュータ可読の媒体から実行できる。モジュールは、一つ以上のデータ・パケット（例えば、ローカルシステム、分配システムにおいて、他のコンポーネントと交信する一つのコンポーネントからの、又は信号によって、他のシステムとのインターネットのようなネットワークを介するデータ）を有する信号に従ってローカル又はリモート処理によって、通信できる。更に、ここに記載されているシステムのコンポーネント又はモジュールは、再配置できるか又はそれに関して説明された種々の態様、目的、効果、などを達成することを容易にするために追加のコンポーネント／システムによって、補足することができ、当業者により理解されるように、所定の図に示される正確な構成に限定されない。
【０１２７】
さらに、種々の態様は、ユーザ設備（ＵＥ）と関連して、ここに説明されている。ＵＥは、また、システム、加入者装置、加入者局、移動局、移動装置、移動通信装置、モバイル装置、遠隔局、遠隔端末、アクセス端末（ＡＴ）、ユーザーエージェント（ＵＡ）、ユーザ装置又はユーザ端末（ＵＥ）と呼ぶことができる。加入者局は、移動電話、コードレス電話、セッション初期化プロトコル（ＳＩＰ）電話、無線ローカルループ（ＷＬＬ）局、パーソナル携帯情報機器（ＰＤＡ）、無線接続能力を有する携帯装置又は無線モデムに接続される他の処理装置又は処理装置との無線通信を容易にする同様な機構でできる。
【０１２８】
一つ以上の典型的な実施形態において、記載されている機能はハードウェア、ソフトウェア、ファームウェア、ミドルウェア、マイクロコード又はそのいかなる適切な組合せで実施できる。ソフトウェアで実施すれば、機能はコンピュータ可読の媒体上の一つ以上の命令又はコードとして格納でき又は送信できる。コンピュータ可読媒体は、コンピュータ記憶媒体及び１つの場所から他の場所への転送を容易にする任意の媒体を含む通信媒体の両方を含む。記憶媒体は、コンピュータによって、アクセスすることができるいかなる物理的媒体であってもよい。例えば、この例に限らないが、このようなコンピュータ記憶媒体は、ＲＡＭ、ＲＯＭ、ＥＥＰＲＯＭ、ＣＤ−ＲＯＭ又は他の光学ディスク記憶装置、磁気ディスク記憶装置又は他の磁気記憶装置、スマートカード、フラッシュメモリ装置（例えば、カード、スティック、キードライブ）、又は命令の形態の所望のプログラムコード又はデータ構造を配送又は記憶するために使用でき、及びコンピュータによって、アクセスできる任意の他の媒体により構成できる。例えば、ソフトウェアがウェブサイト、サーバ又は同軸ケーブル、光ファイバーケーブル、ツイスト・ペア、デジタル加入者回線（ＤＳＬ）又は無線技術（例えば、赤外線、無線及びマイクロ波）から送信されるのであれば、同軸ケーブル、光ファイバーケーブル、ツイスト・ペア、ＤＳＬ、又は赤外線、無線及びマイクロ波のような無線技術は媒体の定義に含まれる。ここで使われるようにディスク（ｄｉｓｋ）及びディスク（ｄｉｓｃ）はディスク・コンパクトディスク（ＣＤ）、レーザーディスク（登録商標）、光ディスク、デジタルバーサタイルディスク（ＤＶＤ）、フロッピー（登録商標）ディスク及びブルーレイディスクを含む。ディスク（ｄｉｓｋ）は通常磁気的にデータを再生し、ｄｉｓｃはレーザーによって、光学的にデータを再生する。上記の組合せは、また、コンピュータ可読媒体の範囲内で含まれなければならない。
【０１２９】
ハードウェア実施のために、ここに開示された態様と関連して説明されている種々の図示論理、論理的ブロック、モジュール及び回路の処理ユニットが一つ以上のＡＳＩＣ、ＤＳＰ、ＤＳＰＤｓ、ＰＬＤ、ＦＰＧＡｓ、離散的なゲート又はトランジスタ論理、離散的なハードウェア・コンポーネント、多目的プロセッサ、コントローラ、マイクロコントローラ、マイクロプロセッサ、ここに記載されている機能を実行するように設計された他の電子装置又はそれの組合せの内で実施され又は実行できる。多目的プロセッサはマイクロプロセッサでできるが、択一的に、プロセッサはいかなる一般的なプロセッサ、コントローラ、マイクロコントローラ又は状態装置でできる。プロセッサは、また、コンピュータの組み合わせ、例えば、ＤＳＰ及びマイクロプロセッサの組合せ、複数のマイクロプロセッサ、ＤＳＰコアと関連した一つ以上のマイクロプロセッサ、又は他のいかなる適切な構成として実施できる。更に、少なくとも一つのプロセッサは、ここに説明されている一つ以上のステップ及び／又は作用を実行するように動作可能な一つ以上のモジュールにより構成できる。
【０１３０】
さらに、ここに記載されている種々の態様又は特徴は、方法、装置又は標準プログラミング及び／又は工学技術を使用している製品として実施できる。更に、ここに開示されている態様と関連して説明されている方法又はアルゴリズムのステップ及び／又は作用はハードウェアで、プロセッサにより実行されるソフトウェア・モジュールで又は二つの組合せで、直接実施できる。更に、態様によっては、方法又はアルゴリズムのステップ又は作用は機械可読媒体又はコンピュータプログラム製品に組み込むことができるコンピュータ可読媒体の符号又は命令の少なくとも一つ、任意の組み合わせ又はセットとして存在する。ここに使用されている用語「製品」はいかなる適切なコンピュータ可読の装置又は媒体からアクセスできるコンピュータプログラムを含むことを意図している。
【０１３１】
更に、語「典型的な」は、実施例、例又は具体例として寄与することを意味するために用いられている。「典型的」としてここに記載されているあらゆる態様又は設計は必ずしも他の態様又は設計にわたり好適又は有効であるとして構成されるものではない。むしろ、典型的な語の使用は、具体的形態の概念を表すことを意図している。本出願において、用いられているように、用語「又は」は排他的「又は」よりむしろ包含的「又は」を意味することを意図している。即ち、Ｘが、Ａを使用し、ＸがＢを使用し、又は、ＸがＡとＢの両方を使用していれば、そのとき、「ＸがＡ又はＢを使用する」が上記例のいずれかを満たしている。更に、本願及び添付請求項に使用されている冠詞「ａ」及び「ａｎ」は特に特定されていなく又は単数形に向けられるコンテキストから明白でなければ、「１以上」を意味するように一般的に解釈されるべきである。
【０１３２】
更に、ここで使用されているように、“ｉｎｆｅｒ”又は“ｉｎｆｅｒｅｎｃｅ”についての用語は一般的にイベントを介して捕らえられるような観察のセット又はデータからのシステム、環境又はユーザの推論法又は推定状態を参照している。推論は、特定のコンテキスト又は作用を識別するために使用することができ、又は、例えば、状態の上の確率分布を生成できる。推論は、確率的であり得る、即ち、データ及びイベントの考慮に基づく関心状態の上の確率分布の計算であり得る。推論は、また、イベントのセットからより高いレベルのイベント又はデータを構成するために使用される技術を参照できる。そのような推論は観察イベントのセット及び／又は記憶イベントデータから新たなイベント又は作用の構成となり、イベントが密接に時間的接近に関連しているかどうか、及びイベント及びデータが一つ又は複数のイベント及びデータソースから得られたかどうかとなる。
【０１３３】
上記していたことは、請求項に記載された要旨の態様の実施例を含む。もちろん、請求項に記載された要旨を記載するためにコンポーネント又は手順のすべての考えられる組合せを記載することが可能でないが、当業者は従来技術において、開示された要旨の多くの更なる組合せ及び順序が可能であることは認識できる。したがって、開示された要旨は、添付の請求項の精神及び範囲内にある全てのそのような交換、変形及び変更を含むことを意図している。さらに、用語「含む」、「有する」、又は、「有している」は詳細な説明又は請求項のいずれかに使用され、そのような用語は請求項に伝統的語として使用されるとき「構成する」が解釈されるように用語「構成する」と同様な方法で含まれることを意図している。
【図１】
2011530235.tif 000003
【図２】
2011530235.tif 000004
【図３】
2011530235.tif 000005
【図４】
2011530235.tif 000006
【図５】
2011530235.tif 000007
【図６】
2011530235.tif 000008
【図７】
2011530235.tif 000009
【図８】
2011530235.tif 000010
【図９】
2011530235.tif 000011
【図１０】
2011530235.tif 000012
【図１１】
2011530235.tif 000013
【図１２】
2011530235.tif 000014
【図１３】
2011530235.tif 000015
【図１４】
2011530235.tif 000016
【図１５】
2011530235.tif 000017
【図１６】
2011530235.tif 000018
【図１７】
2011530235.tif 000019
【図１８】
2011530235.tif 000020
【図１９】
2011530235.tif 000021
【国際調査報告】
2011530235.tif 000022
2011530235.tif 000023
2011530235.tif 000024